(57)【要約】      （修正有）【課題】圧力調節可能な流体充填ブラダを有する足支持システム、履物品、および／または他の足受容装置を提供する。【解決手段】履物品１００用のこの例示的な足支持システム２００は、ガス吸入ポート２１０Ａとガス排出ポートを有するコンプレッサ２１０を含む。流入する流体を濾過するためのフィルタを含み得るガス吸入ポート２１０Ａは、その外部環境から空気または他のガスを吸入し得る。コンプレッサ２１０は、履物アッパー１０２および／または履物ソール構造体１０４に取り付けられ得る。流体ラインは、コンプレッサ２１０のガス排出ポートをソレノイドバルブのガス吸入ポートと接続する。ソレノイドバルブは、ガス吸入ポートに加え踵ベース流体充填ブラダ２０２Ｈに流体を供給するためのガス排出ポートと、前足部ベース流体充填ブラダ２０２Ｆに流体を供給するための別のガス排出ポートを含む。【選択図】図１Ａ
2020163152.tif 000002
【特許請求の範囲】
【請求項１】
ガス吸入ポートとガス排出ポートとを含むコンプレッサと、
ガス吸入ポートと、第１のガス排出ポートと、第２のガス排出ポートと、を含む第１の
ソレノイドバルブと、
前記コンプレッサの前記ガス排出ポートを前記第１のソレノイドバルブの前記ガス吸入
ポートと接続する第１の流体ラインと、
ガス吸入ポートとガス排出ポートとを含む第２のソレノイドバルブと、
前記第１のソレノイドバルブの前記第１のガス排出ポートを前記第２のソレノイドバル
ブの前記ガス吸入ポートと接続する第２の流体ラインと、
ガス吸入ポートとガス排出ポートとを含む第３のソレノイドバルブと、
前記第１のソレノイドバルブの前記第２のガス排出ポートを前記第３のソレノイドバル
ブの前記ガス吸入ポートと接続する第３の流体ラインと、
ユーザの足の底面の少なくとも第１の部分を支持するように構成された第１の流体充填
ブラダであって、ガスポートを含む第１の流体充填ブラダと、
前記第２のソレノイドバルブの前記ガス排出ポートを前記第１の流体充填ブラダの前記
ガスポートと接続する第４の流体ラインと、
ユーザの足の底面の少なくとも第２の部分を支持するように構成された第２の流体充填
ブラダであって、ガスポートを含む第２の流体充填ブラダと、
前記第３のソレノイドバルブの前記ガス排出ポートを前記第２の流体充填ブラダの前記
ガスポートと接続する第５の流体ラインと、
を備える履物品用の足支持システム。
【請求項２】
前記第２のソレノイドバルブは可動プランジャを含み、前記可動プランジャは移動により
、前記第２のソレノイドバルブを、少なくとも、前記第１の流体充填ブラダにガスを供給
するための膨張構成と、前記第１の流体充填ブラダからガスを放出するための収縮構成と
、の間で変更する、請求項１に記載の足支持システム。
【請求項３】
前記第３のソレノイドバルブは可動プランジャを含み、前記可動プランジャは移動によ
り、前記第３のソレノイドバルブを、少なくとも、前記第２の流体充填ブラダにガスを供
給するための膨張構成と、前記第２の流体充填ブラダからガスを放出するための収縮構成
と、の間で変更する、請求項１または２に記載の足支持システム。
【請求項４】
前記第２の流体充填ブラダは、前記第１の流体充填ブラダと流体連通していない、請求
項１〜３のいずれか一項に記載の足支持システム。
【請求項５】
前記第１の流体充填ブラダは、ユーザの足の踵領域の少なくとも一部分を支持するよう
に構成されており、前記第２の流体充填ブラダは、ユーザの足の前足部領域の少なくとも
一部分を支持するように構成されている、請求項１〜４のいずれか一項に記載の足支持シ
ステム。
【請求項６】
前記コンプレッサ、前記第１のソレノイドバルブ、前記第２のソレノイドバルブ、およ
び前記第３のソレノイドバルブの動作を制御するためのコントローラと、
前記第１の流体充填ブラダ内の圧力を測定し、前記第１の流体充填ブラダ内の感知され
た圧力情報を前記コントローラに提供するための第１の圧力センサと、
前記第２の流体充填ブラダ内の圧力を測定し、前記第２の流体充填ブラダ内の感知され
た圧力情報を前記コントローラに提供するための第２の圧力センサと、
をさらに備える、請求項１〜５のいずれか一項に記載の足支持システム。
【請求項７】
前記コントローラと電子通信して入力データを受信するための入力装置であって、（ａ
）前記第１の流体充填ブラダの所望の圧力レベルと、（ｂ）前記第１の流体充填ブラダ内
の圧力を変更する所望と、（ｃ）前記第２の流体充填ブラダの所望の圧力レベルと、（ｄ
）前記第２の流体充填ブラダ内の圧力を変更する所望と、のうちの少なくとも１つを含む
ユーザ入力を受信するように構成されている入力装置と
をさらに備える、請求項６に記載の足支持システム。
【請求項８】
前記コンプレッサ、前記第１のソレノイドバルブ、前記第２のソレノイドバルブ、およ
び前記第３のソレノイドバルブの動作を制御するためのコントローラと、
前記コントローラと電子通信して入力データを受信するための入力装置であって、（ａ
）前記第１の流体充填ブラダの所望の圧力レベルと、（ｂ）前記第１の流体充填ブラダ内
の圧力を変更する所望と、（ｃ）前記第２の流体充填ブラダの所望の圧力レベルと、（ｄ
）前記第２の流体充填ブラダ内の圧力を変更する所望と、のうちの少なくとも１つを含む
ユーザ入力を受信するように構成されている入力装置
をさらに備える、請求項１〜５のいずれか一項に記載の足支持システム。
【請求項９】
前記入力データを前記コントローラに提供するための前記入力装置と電子通信する電子
通信装置
をさらに備える、請求項７または８に記載の足支持システム。
【請求項１０】
前記電子通信装置は、パーソナルコンピュータ、ラップトップコンピュータ、デスクト
ップコンピュータ、タブレットコンピュータ、または携帯電話機からなる群から選択され
る少なくとも１つの部材を含む、請求項９に記載の足支持システム。
【請求項１１】
前記入力装置は、無線電子通信を受信するように構成されている、請求項７〜１０のい
ずれか一項に記載の足支持システム。
【請求項１２】
前記第２のソレノイドバルブは可動プランジャを含み、前記可動プランジャは移動によ
り、前記第２のソレノイドバルブを、少なくとも、前記第１の流体充填ブラダにガスを供
給するための膨張構成と、前記第１の流体充填ブラダからガスを放出するための収縮構成
と、前記第１の流体充填ブラダ内のガス圧力が実質的に一定に維持される圧力維持構成と
、の間で変更する、請求項１に記載の足支持システム。
【請求項１３】
前記第３のソレノイドバルブは可動プランジャを含み、前記可動プランジャは移動によ
り、前記第３のソレノイドバルブを、少なくとも、前記第２の流体充填ブラダにガスを供
給するための膨張構成と、前記第２の流体充填ブラダからガスを放出するための収縮構成
と、前記第２の流体充填ブラダ内のガス圧力が実質的に一定に維持される圧力維持構成と
、の間で変更する、請求項１または１２に記載の足支持システム。
【請求項１４】
前記第２のソレノイドバルブは、前記足支持システムが所在する外部環境と流体連通す
るガス排出ポートを含む、請求項１〜１３のいずれか一項に記載の足支持システム。
【請求項１５】
前記第３のソレノイドバルブは、前記足支持システムが所在する外部環境と流体連通す
るガス排出ポートを含む、請求項１または１４に記載の足支持システム。
【請求項１６】
前記コンプレッサの前記ガス吸入ポートは、前記足支持システムが所在する外部環境と
流体連通している、請求項１〜１５のいずれか一項に記載の足支持システム。
【請求項１７】
アッパーと、
前記アッパーと係合するソール構造体と、
前記アッパーおよび／または前記ソール構造体と係合する、請求項１〜１６のいずれか
一項に記載の足支持システムと、
を備える履物品。
【請求項１８】
前記第１の流体充填ブラダは、前記ソール構造体と係合する、請求項１７に記載の履物
品。
【請求項１９】
前記足支持システムのすべての流体充填ブラダは、前記ソール構造体と係合する、請求
項１７に記載の履物品。
【請求項２０】
前記コンプレッサは、前記アッパーと係合する、請求項１７または１８に記載の履物品
。
【請求項２１】
前記第１のソレノイドバルブまたは前記第１の流体流制御装置は、前記アッパーと係合
する、請求項１７〜２０のいずれか一項に記載の履物品。
【請求項２２】
前記足支持システムのすべてのソレノイドバルブまたは流体流制御装置は、前記アッパ
ーと係合する、請求項１７〜２０のいずれか一項に記載の履物品。
【発明の詳細な説明】
【技術分野】
【０００１】
関連出願データ
本出願は、２０１７年８月２１日に出願された「Ａｄｊｕｓｔａｂｌｅ  Ｆｏｏｔ  Ｓ
ｕｐｐｏｒｔ  Ｓｙｓｔｅｍｓ  Ｉｎｃｌｕｄｉｎｇ  Ｆｌｕｉｄ−Ｆｉｌｌｅｄ  Ｂｌ
ａｄｄｅｒ  Ｃｈａｍｂｅｒｓ（流体充填ブラダチャンバを含む調節可能な足支持システ
ム）」と称する米国仮特許出願第６２／５４７，９４１号に基づく優先権の便益を主張す
るものである。米国仮特許出願第６２／５４７，９４１号は、参照により、その全体が本
明細書に援用される。
発明の分野
【０００２】
本発明は、履物または他の足受容装置の分野における足支持システムに関する。さらに
具体的には、本発明の態様は、１つ以上の圧力調節可能な流体充填ブラダを含む、履物品
などのための足支持システムに関する。
【背景技術】
【０００３】
従来の運動用履物品は、アッパーおよびソール構造体という２つの主要素を含む。アッ
パーは、足をソール構造体に対してしっかりと受容および位置付けする足用カバーを提供
し得る。加えて、アッパーは、足を保護し、換気を提供することによって足を冷却し、汗
を除去する構成を有し得る。ソール構造体は、アッパーの下表面に固定され得る。そして
一般に、足と任意の接触面との間に位置付けられている。ソール構造体は、地面反力を弱
めてエネルギーを吸収することに加え、牽引力を提供し、過回内など、潜在的に有害な足
の動きを抑制し得る。
【０００４】
アッパーは、足を受容するための空隙を履物の内部に形成する。この空隙は一般的な足
の形状を有し、足首開口部に空隙へのアクセスが提供される。そのため、アッパーは、足
の甲および爪先の領域にわたり、足の内側および外側に沿って足の踵領域の周りに延在す
る。アッパーには、レーシングシステム（ｌａｃｉｎｇ  ｓｙｓｔｅｍ）が組み込まれて
いることが多く、ユーザが足首開口部のサイズを選択的に変更すること、およびユーザが
アッパーの特定寸法、特にガースを部分的に変更して足を種々の比率で収容することがで
きるようになっている。加えて、アッパーは、履物の快適性を高めるために（例えば、紐
によって足に加えられる圧力を加減するために）レーシングシステムの下に延在するベロ
部を含み得ると共に、踵の動きを制限または抑制するためのヒールカウンタも含み得る。
【０００５】
本明細書で使用される「履物」という用語は、任意のタイプの足用アパレルを意味し、
この用語は、すべてのタイプの靴、ブーツ、スニーカー、サンダル、草履、フリップフロ
ップ、ミュール、スカフ、スリッパ、スポーツ専用靴（ゴルフシューズ、テニスシューズ
、野球用クリート、サッカーまたはフットボール用クリート、スキーブーツ、バスケット
ボールシューズ、クロストレーニングシューズなど）等を含むが、これらに限定されない
。本明細書で使用される「足受容装置」という用語は、ユーザが自分の足の少なくとも一
部分を入れる任意の装置を意味する。すべてのタイプの「履物」に加え、足受容装置は、
雪上スキー、クロスカントリースキー、水上スキー、スノーボードなどにおいて足を固定
するためのビンディングおよび他の装置と、自転車や運動器具などと共に使用する、ペダ
ルに足を固定するためのビンディング、クリップ、または他の装置と、テレビゲームまた
は他のゲームのプレイ中に足を受容ためのビンディング、クリップ、または他の装置など
と、を含むが、これらに限定されない。「足受容装置」は、他の構成要素または構造に対
する足の位置付けを支援する１つ以上の「足被覆部材」（例えば、履物のアッパー構成要
素に類似）と、ユーザの足の底面の少なくとも一部分（複数可）を支持する１つ以上の「
足支持部材」（例えば、履物のソール構造体構成要素に類似）と、を含み得る。「足支持
部材」は、履物品用のミッドソールおよび／もしくはアウトソール用の構成要素、ならび
に／またはミッドソールおよび／もしくはアウトソールとしての機能（または非履物タイ
プの足受容装置における対応機能を提供する構成要素）を含み得る。
【発明の概要】
【発明が解決しようとする課題】
【０００６】
本概要は、本発明に関連するいくつかの一般的な概念を簡略的な形で紹介する目的で提
供され、後述する「詳細な説明」においてさらに説明する。本概要は、本発明の主要な特
徴または本質的な特徴を特定することを意図するものではない。
【０００７】
本発明の態様は、例えば、以下に記載および／または特許請求されているタイプ、およ
び／または添付の図面に示すタイプの１つ以上の圧力調節可能な流体充填ブラダを有する
足支持システム、履物品、および／または他の足受容装置に関する。かかる足支持システ
ム、履物品、および／もしくは他の足受容装置は、以下に記載および／もしくは特許請求
される例ならびに／または添付の図面に示す例の任意の１つ以上の構造、部品、特徴、性
質、ならびに／または構造、部品、特徴、および／もしくは性質の組み合わせ（複数可）
を含み得る。
【０００８】
足支持システムに関して、本発明のいくつかの態様が説明され得るが、本発明のさらな
る態様は、履物品、かかる足支持システムおよび／もしくは履物品を製造する方法、なら
びに／または、かかる足支持システムおよび／もしくは履物品を、例えば以下に記載する
種々の方式で使用する方法に関する。
【図面の簡単な説明】
【０００９】
前述の「発明の概要」および後述の「発明を実施するための形態」は、添付の図面と併
せて考慮すると、より良好に理解されるであろう。これらの図面において、同様の参照番
号は、その参照番号が記載されている種々の図のすべてにおいて、同一または同様の要素
を言及する。
【図１Ａ】本発明の少なくともいくつかの例に係る足支持システムを含む履物品を示す種々の図である。
【図１Ｂ】本発明の少なくともいくつかの例に係る足支持システムを含む履物品を示す種々の図である。
【図１Ｃ】本発明の少なくともいくつかの例に係る足支持システムを含む履物品を示す種々の図である。
【図２Ａ】本発明の少なくともいくつかの例に係る足支持システムの構成要素の概略図である。
【図２Ｂ】本発明の少なくともいくつかの例に係る１つの膨張制御構成要素（例えば、ソレノイドバルブ）の動作例および構成例を表す図である。
【図２Ｃ】本発明の少なくともいくつかの例に係る１つの膨張制御構成要素（例えば、ソレノイドバルブ）の動作例および構成例を表す図である。
【図２Ｄ】本発明の少なくともいくつかの例に係る他の膨張制御構成要素例（例えば、ソレノイドバルブ）の動作例および構成例を表す図である。
【図２Ｅ】本発明の少なくともいくつかの例に係る他の膨張制御構成要素例（例えば、ソレノイドバルブ）の動作例および構成例を表す図である。
【図２Ｆ】本発明の少なくともいくつかの例に係る他の膨張制御構成要素例（例えば、ソレノイドバルブ）の動作例および構成例を表す図である。
【図３】本発明の少なくともいくつかの例に係る膨張制御システムの動作例を表す流れ図である。
【図４Ａ】本発明の少なくともいくつかの例に係る別の膨張制御構成要素例（例えば、ソレノイドバルブ）の動作例および構成例を表す図である。
【図４Ｂ】本発明の少なくともいくつかの例に係る別の膨張制御構成要素例（例えば、ソレノイドバルブ）の動作例および構成例を表す図である。
【図４Ｃ】本発明の少なくともいくつかの例に係る別の膨張制御構成要素例（例えば、ソレノイドバルブ）の動作例および構成例を表す図である。
【発明を実施するための形態】
【００１０】
詳細な説明
本発明に係る履物構造および構成要素の各種例に関する以下の説明においては、本明細
書の一部を形成すると共に、本発明の態様が実施され得る種々の構造例および環境例を例
示する添付の図面を参照する。本発明の範囲から逸脱しない限り、他の構造および環境を
利用することができ、具体的に記載された構造および方法に対して構造的および機能的な
変更を行うことができるということを理解されたい。
Ｉ．   本発明の態様についての全般的な説明
【００１１】
上述のとおり、本発明の態様は、例えば、以下に記載および／または特許請求されてい
るタイプ、および／または添付の図面に示すタイプの１つ以上の圧力調節可能な流体充填
ブラダを有する足支持システム、履物品、および／または他の足受容装置に関する。かか
る足支持システム、履物品、および／もしくは他の足受容装置は、以下に記載および／も
しくは特許請求される例ならびに／または添付の図面に示す例の任意の１つ以上の構造、
部品、特徴、性質、ならびに／または構造、部品、特徴、および／もしくは性質の組み合
わせ（複数可）を含み得る。
【００１２】
本発明のいくつかの態様は、（ａ）ガス吸入ポートとガス排出ポートとを含むコンプレ
ッサ、（ｂ）コンプレッサのガス排出ポートと（任意選択で別のソレノイドバルブバルブ
を通じて）流体連通するガス吸入ポートと、ガス排出ポートと、を含む第１のソレノイド
バルブであって、少なくとも膨張構成と収縮構成との間で第１のソレノイドバルブを変更
するために移動する第１の可動プランジャを含む第１のソレノイドバルブ、（ｃ）ユーザ
の足の底面（例えば、踵領域や前足部領域など）の少なくとも一部分を支持するように構
成された第１の流体充填ブラダであって、ガスポートを含む第１の流体充填ブラダ、およ
び／または（ｄ）第１のソレノイドバルブのガス排出ポートと第１の流体充填ブラダのガ
スポートとを接続する第１の流体ライン、のうちの１つ以上を含む履物品または他の足受
容装置用の足支持システムに関する。第１の流体充填ブラダは、（ａ）第１のソレノイド
バルブが膨張構成にあるときに第１のソレノイドバルブからガスを受け取り、（ｂ）第１
のソレノイドバルブが収縮構成にあるときに（任意選択で第１のソレノイドバルブを通じ
て）ガスを吐出する。
【００１３】
本発明の他の態様は、（ａ）ガス吸入ポートとガス排出ポートとを含むコンプレッサ、
（ｂ）ユーザの足の底面の少なくとも第１の部分を支持するように構成された第１の流体
充填ブラダであって、第１のガスポートを含む第１の流体充填ブラダ、（ｃ）ユーザの足
の底面の少なくとも第２の部分を支持するように構成された第２の流体充填ブラダであっ
て、第２のガスポートを含む第２の流体充填ブラダ、（ｄ）ガス取入ポートと、第１のガ
ス排出ポートと、第２のガス排出ポートと、を含む第１のソレノイドバルブ、（ｅ）コン
プレッサのガス排出ポートを第１のソレノイドバルブのガス取入ポートと接続する第１の
流体ライン、（ｆ）第１のソレノイドバルブの第１のガス排出ポートに接続され、第１の
流体充填ブラダの第１のガスポートと流体連通する第２の流体ライン、および／または（
ｇ）第１のソレノイドバルブの第２のガス排出ポートに接続され、第２の流体充填ブラダ
の第２のガスポートと流体連通する第３の流体ライン、のうちの１つ以上を含む履物品ま
たは他の足受容装置用の足支持システムに関する。このシステムの第１のソレノイドバル
ブは、少なくとも、（ａ）コンプレッサから吐出されたガスが第１の流体充填ブラダに移
送される第１の構成と、（ｂ）コンプレッサから吐出されたガスが第２の流体充填ブラダ
に移送される第２の構成と、の間で変更可能に構成され得る。任意選択として、第１のソ
レノイドバルブはさらに、コンプレッサから吐出されたガスが第１の流体充填ブラダおよ
び第２の流体充填ブラダに同時に移送される第３の構成へと変更可能に構成され得る。第
１の流体充填ブラダおよび第２の流体充填ブラダが、記載したこれらの構成のうちの任意
の１つ以上において互いに流体連通する必要はない。
【００１４】
本発明のさらに他の態様は、（ａ）ガス吸入ポートとガス排出ポートとを含むコンプレ
ッサ、（ｂ）ガス吸入ポート、第１のガス排出ポートと、第２のガス排出ポートと、を含
む第１のソレノイドバルブ、（ｃ）コンプレッサのガス排出ポートを第１のソレノイドバ
ルブのガス吸入ポートと接続する第１の流体ライン、（ｄ）ガス吸入ポートとガス排出ポ
ートとを含む第２のソレノイドバルブ、（ｅ）第１のソレノイドバルブの第１のガス排出
ポートを第２のソレノイドバルブのガス吸入ポートと接続する第２の流体ライン、（ｆ）
ガス吸入ポートとガス排出ポートとを含む第３のソレノイドバルブ、（ｇ）第１のソレノ
イドバルブの第２のガス排出ポートを第３のソレノイドバルブのガス吸入ポートと接続す
る第３の流体ライン、（ｈ）ユーザの足の底面の少なくとも第１の部分を支持するように
構成された第１の流体充填ブラダであって、ガスポートを含む第１の流体充填ブラダ、（
ｉ）第２のソレノイドバルブのガス排出ポートを第１の流体充填ブラダのガスポートと接
続する第４の流体ライン、（ｊ）ユーザの足の底面の少なくとも第２の部分を支持するよ
うに構成された第２の流体充填ブラダであって、ガスポートを含む第２の流体充填ブラダ
、（ｋ）第３のソレノイドバルブのガス排出ポートを第２の流体充填ブラダのガスポート
と接続する第５の流体ライン、のうちの１つ以上を含む履物品または他の足受容装置用の
足支持システムに関する。この第１のソレノイドバルブは、少なくとも、（ａ）コンプレ
ッサから吐出されたガスが第２のソレノイドバルブに移送される第１の構成と、（ｂ）コ
ンプレッサから吐出されたガスが第３のソレノイドバルブに移送される第２の構成と、（
任意選択で、コンプレッサから吐出されたガスが第２のソレノイドバルブおよび第３のソ
レノイドバルブに同時に移送される第３の構成と、）の間で変更可能に構成され得る。追
加または代替として、第２のソレノイドバルブおよび／または第３のソレノイドバルブは
、（ａ）（接続されたそれぞれの流体充填ブラダ内にガスが転送される）膨張構成と、（
ｂ）（接続されたそれぞれの流体充填ブラダから、任意選択でソレノイドバルブに設けら
れたポートを通じてガスが吐出される）収縮構成と、の間で変更可能に構成され得る。
【００１５】
上に記載された本発明の特定の実施形態に係る特徴例、態様例、構造例、プロセス例、
および配置例の全般的な説明を考慮して、本発明に係る具体的な足支持構造体例、履物品
例、および方法例に関するより詳細な説明が続く。
ＩＩ． 本発明に係る例示的な足支持システムおよび他の構成要素／特徴例の詳細な説明
【００１６】
図１Ａ〜図１Ｃを参照して、本発明の少なくともいくつかの例に係る例示的な履物品１
００および／または足支持システム２００について、より詳細に説明する。図１Ａは、こ
の例示的な履物品１００の内側面図であり、図１Ｂは、外側面図であり、図１Ｃは、（内
部足支持構造体への視覚的アクセスを提供するために、底部アウトソール構成要素が取り
外されており、かつ／または足支持構成要素が他の方法で露出している）底面図を示す。
履物品１００は、履物アッパー１０２とソール構造体１０４とを含み得る。履物アッパー
１０２は、本発明から逸脱しない限り、従来の構成においては、皮革、織物、ポリマー材
料、金属などで作製された１つ以上の部品を含む従来の構成要素によって少なくとも部分
的に（例えば、１つ以上の部品から）作製され得る。ソール構造体１０４はまた、本発明
から逸脱しない限り、ミッドソール衝撃力減衰システムを形成する１つ以上の部分（任意
選択で、１つ以上のポリマーフォーム構成要素を含む）および／またはアウトソール（任
意選択で、１つ以上のゴムまたはＴＰＵアウトソール部品、１つ以上のクリートなどを含
む）を含む、従来の構造における従来の構成要素によって少なくとも部分的に作製され得
る。ソール構造体１０４は、本発明の少なくともいくつかの例および態様に係る足支持シ
ステムの流体充填ブラダ（複数可）を受容し得る凹部、開口部、または他の構造を含み得
る。より具体的ないくつかの例として、本発明の流体充填ブラダ（複数可）は、ポリマー
フォームミッドソール内に形成された１つ以上の凹部に、および／または保護部材のよう
なプラスチック「ケージ」内に受容され得る。ソール構造体１０４の構成要素のうち少な
くともいくつかは、皮革、織物、ポリマー材料、ゴム、金属などで作製され得る。アッパ
ー１０２および／またはソール構造体１０４は、着用者の足を受容するための内部チャン
バ（足挿入開口部１０６によってアクセス可能）を形成する。
【００１７】
本発明の例に係る履物１００は、１つ以上の流体充填ブラダを足支持システム２００の
一部として含む。その例を以下さらに詳述する。流体充填ブラダ（複数可）は、ソール構
造体１０４の一部など、履物構造の１つ以上の従来の部品と（例えば、ポリマーフォーム
ミッドソール衝撃力減衰部材１０４ａと、プラスチック「ケージ」構造体と、アウトソー
ル構成要素（例えば、ゴム、ＴＰＵ等）などと）、および／またはアッパー１０２の一部
と（例えば、ストローベル部材と、アッパー１０２の底部ベース構成要素と、アッパー１
０２の側部などと）、係合し得る。所望であれば、図１Ｃに示すとおり、流体充填ブラダ
（複数可）２０２Ｈ、２０２Ｆを、フォームミッドソール衝撃力減衰部材１０４ａに画定
された凹部または開口部１０４ｂに嵌合させてもよい。本発明に係る足支持システム２０
０には、任意の所望数（例えば、１つ以上）の個々の流体充填ブラダが設けられ得るが、
図示した本例においては、足支持システム２００が、（着用者の足の踵領域の少なくとも
一部分を支持するように位置決めおよび／または成形された）踵ベース流体充填ブラダ２
０２Ｈと、（着用者の足の前足部領域の少なくとも一部分を支持するように位置決めおよ
び／または成形された）前足部ベース流体充填ブラダ２０２Ｆと、を含む。図示のような
単一踵ベース流体充填ブラダ２０２Ｈではなく、足支持システム２００の踵領域が、内側
踵ブラダおよび外側踵ブラダなどの複数の踵ベース流体充填ブラダ（互いに流体連通して
いても、分離していてもよい）を含んでもよく、かつ／または図示のような単一の前足部
ベース流体充填ブラダ２０２Ｆではなく、足支持システム２００の前足部領域が、内側前
足部ブラダおよび外側前足部ブラダなどの複数の前足部ベース流体充填ブラダ（互いに流
体連通していても、分離していてもよい）を含んでもよい。踵ベース流体充填ブラダ２０
２Ｈおよび前足部ベース流体充填ブラダ２０２Ｆの潜在的な分割の例は、図１Ｃに破線２
０２Ｂで示されている。
【００１８】
本発明の例に係る足支持システムで使用する流体充填ブラダ（例えば、２０２Ｈおよび
／または２０２Ｆ）は、任意の所望の構造および／または形状を有してよく、かつ／また
は履物技術分野において公知であり、かつ使用されている従来の構造および／もしくは形
状ならびに／または従来の材料（オレゴン州ビーバートンのナイキ社より市販されている
履物製品で使用される構造、形状、および／または材料を含む）を含む任意の所望の材料
から作られてもよい。
【００１９】
次に、図１Ａ〜図１Ｃと併せて図２Ａを参照して、本発明の少なくともいくつかの例に
係る足支持システム２００についてさらに詳述する。これらの図に示すとおり、履物品１
００（または他の足受容装置）用のこの例示的な足支持システム２００は、ガス吸入ポー
ト２１０Ａとガス排出ポート２１０Ｂを有するコンプレッサ２１０（例えば、バッテリ作
動式エアコンプレッサ）を含む。流入する流体を濾過するためのフィルタを含み得るガス
吸入ポート２１０Ａは、その外部環境（周囲空気源など）から空気または他のガスを吸入
し得る。コンプレッサ２１０は、接着剤、１つ以上の機械的コネクタ、ブラケット（例え
ば、１２０）などにより、履物アッパー１０２および／または履物ソール構造体１０４の
いずれかまたは両方の構成要素の外面などに取り付けられ得る。この図示の例においては
、コンプレッサ２１０が、履物アッパー１０２の後部踵領域に取り付けられている。
【００２０】
流体ライン２１２は、コンプレッサ２１０のガス排出ポート２１０Ｂをソレノイドバル
ブ２２０のガス吸入ポート２２０Ａと接続する。この例示的ソレノイドバルブ２２０は、
ガス吸入ポート２２０Ａに加え、踵ベース流体充填ブラダ２０２Ｈに流体を供給するため
のガス排出ポート２２０Ｈと、前足部ベース流体充填ブラダ２０２Ｆに流体を供給するた
めの別のガス排出ポート２２０Ｆと、を含む。
【００２１】
しかし、図示されたこの例示的な足支持構造体２００においては、ソレノイドバルブ２
２０からのガスが踵ベース流体充填ブラダ２０２Ｈ内および／または前足部ベース流体充
填ブラダ２０２Ｆ内に直接入らず、むしろ、流体ライン２２２Ｈが、ソレノイドバルブ２
２０のガス排出口２２０Ｈから、踵ベース流体充填ブラダ２０２Ｈ内のガス流およびガス
圧力を制御するためのソレノイドバルブ２３０にガスを供給する。ソレノイドバルブ２３
０は、（ソレノイドバルブ２２０からガスを受け取るために）流体ライン２２２Ｈに接続
されたガス吸入ポート２３０Ａと、流体ライン２３０Ｈを介して踵ベース足支持流体充填
ブラダ２０２Ｈ（ガスポート２０４Ｈを含み得る）に接続するガス取入／排出ポート２３
０Ｂと、を含む。流体ライン２３０Ｈは、（例えば、以下でさらに詳述する理由で）踵支
持流体充填ブラダ２０２Ｈに出入りする流体の流れの方向を制御するために、（例えば、
コントローラ２５０によって）電子的に制御され得る双方向バルブ２３０Ｖを含み得る。
図示された本例のソレノイドバルブ２３０は、外部環境（例えば、以下で詳述する理由で
周囲雰囲気）と流体連通し得る（または流体連通して配置され得る）外部ガス排出ポート
２３０Ｃをさらに含む。より具体的ないくつかの例として、この外部ガス排出ポート２３
０Ｃは、ソレノイドバルブ２３０内の単純な開口部、すなわち従来の「ポート」型開口部
、および／または外部環境に延在および開口している流体ラインであり得る。
【００２２】
別の流体ライン２２２Ｆは、ソレノイドバルブ２２０のガス排出口２２０Ｆから、前足
部ベース流体充填ブラダ２０２Ｆ内のガス流およびガス圧力を制御するためのソレノイド
バルブ２４０にガスを供給する。ソレノイドバルブ２４０は、（ソレノイドバルブ２２０
からガスを受け取るために）流体ライン２２２Ｆに接続されたガス吸入ポート２４０Ａと
、流体ライン２４０Ｆを介して前足部ベース足支持流体充填ブラダ２０２Ｆ（ガスポート
２０４Ｆを含み得る）に接続するガス排出ポート２４０Ｂと、を含む。流体ライン２４０
Ｆは、（例えば、以下でさらに詳述する理由で）前足部支持流体充填ブラダ２０２Ｆに出
入りする流体の流れの方向を制御するために、（例えば、コントローラ２５０によって）
電子的に制御され得る双方向バルブ２４０Ｖを含み得る。図示された本例のソレノイドバ
ルブ２４０は、外部環境（例えば、以下で詳述する理由で周囲雰囲気）と流体連通し得る
（または流体連通して配置され得る）外部ガス排出ポート２４０Ｃをさらに含む。より具
体的ないくつかの例として、この外部ガス排出ポート２４０Ｃは、ソレノイドバルブ２４
０内の単純な開口部、すなわち従来の「ポート」型開口部、および／または外部環境に延
在および開口している流体ラインであり得る。
【００２３】
図１Ｂ、図１Ｃ、および図２Ａにさらに示すとおり、所望であれば、足支持システム２
００の構成要素のうちの１つ以上を、ベースプレート１２０（例えば、ブラケット）上に
取り付けてもよく、ひいてはこのベースプレート１２０を、履物アッパー１０２および／
または履物ソール構造体１０４に（例えば、接着剤または機械的コネクタによって）取り
付けてもよい。ベースプレート１２０は、プラスチック、織地、金属、および／またはそ
の他任意の所望の材料（複数可）で作られ得る。
【００２４】
本発明の少なくともいくつかの例に係る足支持システム２００は、他の構成要素または
要素も含み得る。例えば、図１Ｂ〜図２Ａに示すとおり、この例示的な足支持システム２
００は、例えば、コンプレッサ２１０、第１のソレノイドバルブ２２０（または主制御ソ
レノイドバルブ）、第２のソレノイドバルブ２３０（または踵支持流体充填ブラダ制御ソ
レノイドバルブ）、第３のソレノイドバルブ２４０（または前足部支持流体充填ブラダ制
御ソレノイドバルブ）、双方向バルブ２３０Ｖ、および／または双方向バルブ２４０Ｖな
どのうちの１つ以上の動作を制御することを目的とするコントローラ２５０を含む。コン
トローラ２５０は、公知であり、かつ市販されている（例えば、１つ以上のマイクロプロ
セッサを有する）プログラム可能なコントローラを構成してもよく、以下でさらに詳述す
る方式のうちの１つ以上で動作するようにプログラムおよび適合されてもよい。
【００２５】
本発明から逸脱しない限り、プラスチック管、別の構成要素（例えば、発泡ミッドソー
ル材料、アッパー材料など）に形成されたチャネルなどを含む任意の所望のタイプの流体
ライン（複数可）（例えば、ライン２１２、２２２Ｈ、２２２Ｆ、２３０Ｈ、および／ま
たは２４０Ｆ）を使用してよい。ガスポート（例えば、ポート２１０Ａ、２１０Ｂ、２２
０Ａ、２２０Ｈ、２２０Ｆ、２３０Ａ、２３０Ｂ、２３０Ｃ、２４０Ａ、２４０Ｂ、２４
０Ｃ、２０４Ｈ、２０４Ｆなどの吸入ポートおよび／または排出ポート）は、本発明から
逸脱しない限り、流体移送技術分野において公知であり、かつ使用されているように、プ
ラスチック管の取り付け先になる先開口部、ポート、またはステムなど、任意の所望の構
成（複数可）および／または構造（複数可）を有し得る。流体ライン（複数可）は、本考
案から逸脱しない限り、それぞれのポート（複数可）に永久的に固定されてもよく、かつ
／または着脱可能に固定されてもよい。
【００２６】
図示された本例においては、踵ベース流体充填ブラダ２０２Ｈ内の圧力を測定するため
の圧力センサ２６０Ｈが設けられており、この圧力センサ２６０Ｈ（例えば、流体充填ブ
ラダ２０２Ｈ内および／または流体ライン２３０Ｈ沿いに所在し得る）が、流体充填ブラ
ダ２０２Ｈ内の感知された圧力情報をコントローラ２５０に（例えば、電子通信ライン２
６２Ｈを介して）提供する。追加または代替として、前足部ベース流体充填ブラダ２０２
Ｆ内の圧力を測定するための圧力センサ２６０Ｆが設けられてもよく、この圧力センサ２
６０Ｆ（例えば、流体充填ブラダ２０２Ｆ内および／または流体ライン２４０Ｆ沿いに所
在し得る）は、流体充填ブラダ２０２Ｆ内の感知された圧力情報をコントローラ２５０に
（例えば、電子通信ライン２６２Ｆを介して）提供する。
【００２７】
これらの図にさらに示すとおり、本発明の少なくともいくつかの例によれば、足支持シ
ステム２００は、例えば、コントローラ２５０と電子通信する入力データを受信すること
を目的とする入力装置２７０を備え得る。本発明から逸脱しない限り、任意の所望のタイ
プの有線または無線通信プロトコル（例えば、ＢＬＵＥＴＯＯＴＨ（登録商標）タイプの
送信システム／プロトコル（Ｂｌｕｅｔｏｏｔｈ  ＳＩＧ社より入手可能）、赤外線送信
、光ファイバ送信など）の下で動作する任意の所望のタイプの有線または無線入力装置（
例えば、無線トランシーバ、ＵＳＢポートなど）を含む任意の所望のタイプの入力装置２
７０を使用してよい。図１Ｂ〜図２Ａにさらに示すとおり、入力装置２７０は、電子通信
装置２８０と電子通信し得る（送信アイコン２７２によって図示）。電子通信装置２８０
（パーソナルコンピュータ、ラップトップコンピュータ、デスクトップコンピュータ、タ
ブレットコンピュータ、携帯電話機、および／または他のモバイル通信装置などからなる
群から選択される少なくとも１つの部材を含み得る）は、入力システム２８２（例えば、
キーボード、タッチスクリーン、１つ以上のスイッチなど）を介してユーザ入力を受信し
得る。より具体的ないくつかの例として、電子通信装置２８０および／または入力装置２
７０は、（ａ）１つ以上の流体充填ブラダ（例えば、流体充填ブラダ２０２Ｈおよび／ま
たは２０２Ｆ）の所望の圧力レベル、および／または（ｂ）１つ以上の流体充填ブラダ（
例えば、流体充填ブラダ２０２Ｈおよび／または２０２Ｆ）内の圧力を変更して、例えば
、圧力を設定量（±０．１ｐｓｉ、±０．２ｐｓｉなど）だけ増加または減少させたいと
いう所望、のうちの少なくとも１つを含むユーザ入力を受信および送信する目的で使用さ
れ得る。
【００２８】
図２Ｂおよび図２Ｃは、この例示的な足支持システム２００において、コンプレッサ２
１０ならびにソレノイドバルブ２３０および２４０に直接接続されているソレノイドバル
ブ２２０の例示的な構造および動作を示す。図２Ｂは、踵ベース流体充填ブラダ２０２Ｈ
を膨張させるためのガスをソレノイドバルブ２３０に供給する（例えば、ソレノイドバル
ブ２２０のガス取入ポート２３０Ａにガスを送る）目的で利用される構成のソレノイドバ
ルブ２３０を示す。図２Ｃは、前足部ベース流体充填ブラダ２０２Ｆを膨張させるための
ガスをソレノイドバルブ２４０に供給する（例えば、ソレノイドバルブ２２０のガス取入
ポート２４０Ａにガスを送る）目的で利用される構成のソレノイドバルブ２４０を示す。
【００２９】
図２Ｂおよび図２Ｃに示すとおり、この例示的なソレノイドバルブ２２０は、コンプレ
ッサ２１０のガス排出ポート２１０Ｂなど、（例えば、流体ライン２１２を介して）ガス
源と流体連通しているガス吸入ポート２２０Ａを含む。例えば、コンプレッサ２１０への
ガス流の逆流を防止したり、コンプレッサ２１０からのガス流を制御したりするなどの目
的で、単方向バルブ２１２Ｖが、任意選択でコントローラ２５０の制御の下、例えば流体
ライン２１２に設けられ得る。上述のとおり、ソレノイドバルブ２２０は、（ａ）（例え
ば、ソレノイドバルブ２３０および流体ライン２２２Ｈを介して）踵ベース流体充填ブラ
ダ２０２Ｈと流体連通しているガス排出ポート２２０Ｈと、（ｂ）（例えば、ソレノイド
バルブ２４０および流体ライン２２２Ｆを介して）前足部ベース流体充填ブラダ２０２Ｆ
と流体連通しているガス排出ポート２２０Ｆと、をさらに含む。本例のソレノイドバルブ
２２０は、少なくとも、踵ベース流体充填ブラダ２０２Ｈの膨張構成（図２Ｂ）と前足部
流体充填ブラダ２０２Ｆの膨張構成（図２Ｃ）との間でソレノイドバルブ２２０を変更す
るために移動する可動プランジャ２２２Ｐをさらに含む。プランジャ２２２Ｐの外側壁（
複数可）２２２Ｓは、プランジャ２２２Ｐの外側壁（複数可）２２０Ｓ周辺のガス移送を
防止する（または実質的に防止する）ように、ソレノイドバルブ内部チャンバ２２８の内
側壁（複数可）２２２Ｓと密接に整列し得る（すなわち、ガス転送経路（複数可）２２０
Ｐは、ガスがソレノイドバルブ２２０を通過するための唯一の経路であり得る）。必要ま
たは所望であれば、プランジャ２２２Ｐをその側壁（複数可）２２２Ｓに沿って封止する
ために他の封止構成要素を設けてもよい。
【００３０】
図示された本例のプランジャ２２２Ｐの移動および位置決めは、（ａ）図２Ｂ〜図２Ｃ
の向きでプランジャ２２２Ｐを左に押すために付勢力Ｆを印加する付勢システム（例えば
、バネ２２４Ｓなど）および／または（ｂ）バネ２２４Ｓの付勢力Ｆに抗してプランジャ
２２２Ｐを移動させることのできるモータ２２２Ｍによって制御される。モータ２２２Ｍ
は、例えばコントローラ２５０（または他の制御システム）からの信号によって電子的に
制御され得る。任意選択で、モータ２２２Ｍの動作が停止されると、モータ２２２Ｍおよ
び／またはソレノイドバルブ２２０は、モータ２２２Ｍが停止したときにプランジャ２２
２Ｐをその位置に維持するように構築および構成され得る。本例のプランジャ２２２Ｐは
、（ガス取入ポート２２０Ａを介してソレノイドバルブ２２０に導入された）ガス源から
所望のソレノイドバルブ２３０／２４０（最終的には、それぞれの流体充填ブラダ２０２
Ｈ／２０２Ｆ）にガスを移動させるために、図２Ｂ〜図２Ｃに破線で示す１つ以上のガス
転送経路２２０Ｐをさらに含む。本例におけるプランジャ２２２Ｐを通って、図示のガス
転送経路２２０Ｐは、取入端２２０ＰＩと排出端２２０ＰＯとを有する。
【００３１】
次に、各種構成におけるソレノイドバルブ２２０の動作について説明する。上述のとお
り、図２Ｂは、踵ベース流体充填ブラダ２０２Ｈを膨張させるためのガスをソレノイドバ
ルブ２３０に供給する（例えば、ライン２２２Ｈを介してガス取入ポート２３０Ａにガス
を送る）目的で利用される構成のソレノイドバルブ２２０を示す。この構成例においては
、付勢システム（例えば、バネ２２４Ｓ）および／またはモータ２２２Ｍが、ガス転送経
路２２０Ｐの排出口２２０ＰＯがソレノイドバルブ２２０のガス排出ポート２２０Ｈと整
列する向きにプランジャ２２２Ｐを位置付ける。（任意選択で、例えばコンプレッサ２１
０または他のガス源からの圧力下にある）ガスが、ガス取入ポート２２０Ａを介してソレ
ノイドバルブ２２０の内部チャンバ２２８に導入される。このガスは、側壁（複数可）２
２２Ｓと２２０Ｓとの間にあるプランジャ２２２Ｐの外側壁（複数可）２２２Ｓの周りを
実質的に流れることができないため、ガス転送経路２２０Ｐの取入２２０ＰＩに入り、経
路２２０Ｐを通って、排出口２２０ＰＯへと進み、ガス排出ポート２２０Ｈを通って、接
続されたソレノイドバルブ２３０へと進む（図２Ｂに示す「一点鎖線の」ガス流矢印に留
意）。ソレノイドバルブ２３０の動作例について、以下さらに詳述する。
【００３２】
図２Ｂに示す配置においては、ガス排出ポート２２０Ｆへのアクセスが、例えば、封止
構造体（２２６Ｓ）や、プランジャ２２２Ｐの外側壁（複数可）２２２Ｓとソレノイドバ
ルブ２２０の内側壁（複数可）２２０Ｓとの間の密着などによって封止され得る。追加ま
たは代替として、側壁（複数可）２２２Ｓと２２０Ｓとの間の封止が十分であれば、排出
ポート２２０Ｆにおいて別々に封止する必要はない。
【００３３】
図２Ｂに示す踵ベース流体充填ブラダ２０２Ｈの膨張構成と図２Ｃに示す前足部ベース
流体充填ブラダ２０２Ｆの膨張構成との間でソレノイドバルブ２２０を変更するために、
コントローラ２５０は、モータ２２２Ｍを作動させ、かつ／または付勢システム（例えば
、バネ２２４Ｓ）の付勢力Ｆを利用して、プランジャ２２２Ｐを図２Ｃに示す構成へと移
動し得る。この構成においては、プランジャ２２２Ｐが、ガス転送経路２２０Ｐの排出口
２２０ＰＯがガス排出ポート２２０Ｈから離れるように移動し、任意選択で、排出ポート
２２０Ｈおよび／または流体ライン２２２Ｈをソレノイドバルブ２３０に対して封止する
ために、シール２２６Ｓが、プランジャ２２２Ｐと共に、またはプランジャ２２２Ｐの一
部（例えば、プランジャ２２２Ｐの外側壁（複数可）２２２Ｓとソレノイドバルブ２２０
Ｓの内側壁（複数可）２２０Ｓとの間の密着）として設けられ得る。また、図２Ｃに示す
構成においては、付勢システム（例えば、バネ２２４Ｓ）および／またはモータ２２２Ｍ
が、ガス転送経路２２０Ｐの排出口２２０ＰＯがソレノイドバルブ２２０のガス排出ポー
ト２２０Ｆと整列する向きにプランジャ２２２Ｐを位置付ける。（任意選択で、例えばコ
ンプレッサ２１０または他のガス源からの圧力下にある）ガスが、ガス取入ポート２２０
Ａを介してソレノイドバルブ２２０の内部チャンバ２２８に導入される。このガスは、側
壁（複数可）２２２Ｓと２２０Ｓとの間にあるプランジャ２２２Ｐの外側壁（複数可）２
２２Ｓの周りを実質的に流れることができないため、ガス転送経路２２０Ｐの取入２２０
ＰＩに入り、経路２２０Ｐを通って、排出口２２０ＰＯへと進み、ガス排出ポート２２０
Fを通って、接続されたソレノイドバルブ２4０へと進む（図２Cに示す「一点鎖線の」ガ
ス流矢印に留意）。ソレノイドバルブ２４０の動作例について、以下さらに詳述する。
【００３４】
コントローラ２５０、モータ２２２Ｍ、および／または付勢システム（例えば、バネ２
２４Ｓ）は、例えば、モータ２２２Ｍを逆方向に回したり、付勢システム（例えば、バネ
２２４Ｓ）がプランジャ２２２Ｐを移動できるようにしたりするなどして、図２Ｃに示す
位置と図２Ｂに示す位置との間でプランジャ２０２Ｐを変更する（例えば、前足部ベース
流体充填ブラダ２０２Ｆの膨張（図２Ｃ）から踵ベース流体充填ブラダ２０２Ｈの膨張（
図２Ｂ）へとシステムを切り替える）目的で使用され得る。
【００３５】
図２Ｄ〜図２Ｆは、この例示的な足支持システム２００の流体充填ブラダ２０２Ｈ／２
０２Ｆに直接接続されているソレノイドバルブ２３０／２４０の構造例および動作例を示
す。図２Ｄ〜図２Ｆと関連付けて以下に記載する構造および動作は、ソレノイドバルブ２
３０または２４０のいずれかに個々に適用され得るか、両方のソレノイドバルブ２３０お
よび２４０が同じ構造および／または動作を有し得る。図２Ｄは、接続された流体充填ブ
ラダ２０２Ｈ／２０２Ｆに（ガス取入／排出ポート２３０Ｂ／２４０Ｂおよび流体ライン
２３０Ｈ／２４０Ｆを介して）ガスが供給される「膨張構成」のソレノイドバルブ２３０
／２４０を表す。図２Ｅは、関連付けられた流体充填ブラダ２３０Ｈ／２４０Ｆ内のガス
圧力が実質的に一定に維持される「圧力維持構成」のソレノイドバルブ２３０／２４０を
表す。図２Ｆは、接続された流体充填ブラダ２０２Ｈ／２０２Ｆから（ガス取入／排出ポ
ート２３０Ｂ／２４０Ｂおよびガス排出ポート２３０Ｃ／２４０Ｃを通じて）ガスが放出
される「収縮構成」のソレノイドバルブ２３０／２４０を表す。追加または代替として、
所望であれば、「圧力維持構成」を、双方向バルブ２３０Ｖ／２４０Ｖによって（任意選
択で、例えば、コントローラ２５０による電子制御下のバルブ（複数可）２３０Ｖ／２４
０Ｖを用いて）完全または部分的に管理することができる。
【００３６】
図２Ｄ〜図２Ｆに示すとおり、ソレノイドバルブ２３０／２４０は、コンプレッサ２１
０のガス排出ポート２１０Ｂおよび／またはソレノイドバルブ２２０のガス排出ポート２
２０Ｈ／２２０Ｆなどのガス源と（例えば、流体ライン２２２Ｈ／２２２Ｆを介して）流
体連通するガス吸入ポート２３０Ａ／２４０Ａを含む。上述のとおり、ソレノイドバルブ
２３０／２４０は、（ａ）それぞれの流体充填ブラダ２０２Ｈ／２０２Ｆと（例えば、ラ
イン２３０Ｈ／２４０Ｆを介して）流体連通しているガス取入／排出ポート２３０Ｂ／２
４０Ｂと、（ｂ）この図示の例において外部環境と流体連通しているガス排出ポート２３
０Ｃ／２４０Ｃと、をさらに含む。本例のソレノイドバルブ２３０／２４０は、可動プラ
ンジャ２９０を含み、可動プランジャ２９０は、少なくとも膨張構成（図２Ｄ）と収縮構
成（図２Ｆ）との間で、ソレノイドバルブ２３０／２４０を、および任意選択で、ガス圧
力維持構成（図２Ｅ）に変更するために移動する。プランジャ２９０の外側壁（複数可）
２９０Ｓは、プランジャ２９０の外側壁（複数可）２９０Ｓ周辺のガス移送を防止する（
または実質的に防止する）ように、ソレノイドバルブ内部チャンバ２３８の内側壁（複数
可）２３０Ｓ／２４０Ｓと密接に整列し得る（すなわち、ガス転送経路（複数可）２９０
Ｐは、ガスがソレノイドバルブ２３０／２４０を通過するための唯一の経路であり得る）
。必要または所望であれば、側壁（複数可）２９０Ｓと側壁（複数可）２３０Ｓ／２４０
Ｓとの間でのガス流を封止および防止するために、他の封止構造を設けることができる。
【００３７】
図示されたこの例示的なソレノイドバルブ２３０／２４０のプランジャ２９０の移動お
よび位置決めは、（ａ）図２Ｄ〜図２Ｆの向きでプランジャ２９０を左に押すために付勢
力Ｆを印加する付勢システム（例えば、バネ２９２Ｓなど）および／または（ｂ）バネ２
９２Ｓの付勢力Ｆに抗してプランジャ２９０を移動させることのできるモータ２９２Ｍに
よって制御される。モータ２９２Ｍは、例えば、コントローラ２５０（または他の制御シ
ステム）からの信号により、以下でさらに詳述する方式で電子的に制御され得る。任意選
択で、モータ２９２Ｍの動作が停止されると、モータ２９２Ｍおよび／またはソレノイド
バルブ２３０／２４０は、モータ２９２Ｍが停止したときにプランジャ２９０をその位置
に維持するように構築および構成され得る。本例のプランジャ２９０は、ガス源から（ガ
ス取入ポート２３０Ａ／２４０Ａを介してソレノイドバルブ２３０／２４０に導入）それ
ぞれの流体充填ブラダ２０２Ｈ／２０２Ｆにガスを移動（ガス取入／排出ポート２３０Ｂ
／２４０Ｂを介してソレノイドバルブ２３０／２４０から移送）させるための、図２Ｄ〜
図２Ｆに破線で示す１つ以上のガス転送経路２９０Ｐをさらに含む。プランジャ２９０を
通る図示のガス転送経路２９０Ｐは、取入端２９０Ｉと排出端２９０Ｏとを有する。
【００３８】
次に、各種構成におけるソレノイドバルブ２３０／２４０の動作について説明する。上
述のとおり、図２Ｄは、「膨張構成」のソレノイドバルブ２３０／２４０を表す。この構
成例においては、付勢システム（例えば、バネ２９２Ｓ）がプランジャ２９０を（付勢力
Ｆによって）最大限まで押す。この向きで、ガス転送経路２９０Ｐの排出口２９０Ｏは、
ガス取入／排出ポート２３０Ｂ／２４０Ｂと整列する。（任意選択で、例えば、コンプレ
ッサ２１０、ソレノイドバルブ２２０、または他のガス源からの圧力下にある）ガスが、
ガス取入ポート２３０Ａ／２４０Ａを介してソレノイドバルブ２３０／２４０の内部チャ
ンバ２３８に導入される。このガスは、プランジャ２９０の外側壁（複数可）２９０Ｓの
周りを実質的に流れることができないため、ガス転送経路２９０の取入口２９０Ｉに入り
、経路２９０を通って排出口２９０Ｏへと進み、ガス取入／排出ポート２３０Ｂ／２４０
Ｂを通って、接続された流体充填ブラダ２０２Ｈ／２０２Ｆへと進む（図２Ｄに示す「一
点鎖線」ガス流矢印に留意）。
【００３９】
流体充填ブラダ２０２Ｈ／２０２Ｆ内のガスが所望の圧力レベル（例えば、圧力センサ
２６０Ｈ／２６０Ｆによって計測され、かつ／または入力システム２８２によって設定さ
れる）に達すると、コントローラ２５０は、モータ２９２Ｍを作動させて、付勢システム
（例えば、バネ２９２Ｓ）の付勢力Ｆに抗してプランジャ２９０を図２Ｅに示すガス「圧
力維持構成」へと移動させることができる。図２Ｅの「圧力維持構成」においては、プラ
ンジャ２９０が、ガス転送経路２９０Ｐの排出口２９０Ｏがガス取入／排出ポート２３０
Ｂ／２４０Ｂから離れるように移動し、任意選択で、取入／排出ポート２３０Ｂ／２４０
Ｂおよび／または流体充填ブラダ２０２Ｈ／２０２Ｆへのラインを封止するために、シー
ル２９４がプランジャ２９０と共に、またはその一部として設けられ得る。追加または代
替として、所望であれば、コントローラ２５０は、コンプレッサ２１０および／またはソ
レノイドバルブ２２０を制御してソレノイドバルブ２３０／２４０へのガスの供給を停止
することができ、かつ／または、双方向バルブ（複数可）２３０Ｖ／２４０Ｖを閉じて、
流体充填ブラダ２０２Ｈ／２０２Ｆにおけるさらなるガス圧力の増加または減少を止める
ことができる。シール２９４は、使用時に、流体充填ブラダ２０２Ｈ／２０２Ｆ内の圧力
を一定（または実質的に一定）の圧力に維持する。本明細書のこの文脈で使用される「実
質的に一定の圧力」という用語は、流体充填ブラダ２０２Ｈ／２０２Ｆ内のガス圧力が少
なくとも２分にわたって一定に維持されること、および／または流体充填ブラダ２０２Ｈ
／２０２Ｆが２分間で失った圧力が５％未満であることを意味する。側壁（複数可）２９
０Ｓと側壁（複数可）２３０Ｓ／２４０Ｓとの間の係合の固さと封止が十分であれば、別
個の封止構成要素２９４は不要であり得る。流体充填ブラダ２０２Ｈ／２０２Ｆ内のガス
圧力を（例えば、センサ２６０Ｈ／２６０Ｆによる圧力読取値に基づいたり、入力システ
ム２８２を介したユーザ入力に基づいたりして）増加させる必要がある場合／時には、ソ
レノイドバルブ２３０／２４０を（例えば、コントローラ２５０によって）制御して、（
モータ２９２Ｍを作動させることによって、および／または付勢システム２９２Ｓに依拠
することによって）図２Ｄの構成に戻ることができ、追加のガスを、所望の圧力に達する
まで流体充填ブラダ２０２Ｈ／２０２Ｆ内に移送することができる。
【００４０】
流体充填ブラダ２０２Ｈ／２０２Ｆ内のガス圧力を（例えば、センサ２６０Ｈ／２６０
Ｆによる圧力読取値に基づいたり、入力システム２８２を介したユーザ入力に基づいたり
して）減少させる必要がある場合／時には、ソレノイドバルブ２３０／２４０を図２Ｆの
収縮構成に変更することができる。これは、例えば図２Ｆに示すとおり、モータ２９２Ｍ
を作動させてプランジャ２９０を付勢システム（例えば、バネ２９２Ｓ）の付勢力Ｆに抗
して移動させることによって達成され得る。この構成においては、プランジャ２９０が、
シール２９４がガス取入／排出ポート２３０Ｂ／２４０Ｂから離れるように移動する。こ
の移動により、流体充填ブラダ２０２Ｈ／２０２Ｆは（ガス取入／排出ポート２３０Ｂ／
２４０Ｂを介して）ソレノイドバルブ２３０／２４０の内部チャンバ２３８と流体連通し
、ひいてはソレノイドバルブ２３０／２４０は（外部ポート２３０Ｃ／２４０Ｃを介して
）外部環境と流体連通する。このようにして、流体充填ブラダ２０２Ｈ／２０２Ｆからの
ガスを、（図２Ｆの「一点鎖線」で示すとおり）ソレノイドバルブ２３０／２４０を通っ
て外部環境に排出することができる。任意選択で、図２Ｆに示すとおり、ソレノイドバル
ブ２３０／２４０は、ガス取入ポート２３０Ａ／２４０Ａを封止するためのシール２９６
を含み得る（または、側壁（複数可）２９０Ｓと側壁（複数可）２３０Ｓ／２４０Ｓとの
間の係合の固さと封止が十分であれば、別個の封止構成要素２９６は不要であり得る）。
流体充填ブラダ２０２Ｈ／２０２Ｆ内のガス圧力が所望の圧力レベルに達する（例えば、
圧力センサ２６０Ｈ／２６０Ｆの読取値によって示される）と、ソレノイドバルブ２３０
／２４０を、（モータ２９２Ｍを作動させることによって、および／または付勢システム
２９２Ｓに依拠することによって）図２Ｅの圧力維持構成に戻るよう（例えば、コントロ
ーラ２５０によって）制御することができ、ガス取入／排出ポート２３０Ｂ／２４０Ｂを
、シール２９４（または側壁（複数可）２９０Ｓと側壁（複数可）２３０Ｓ／２４０Ｓと
の封止係合）によって再び封止することができる。追加または代替として、所望であれば
、流体充填ブラダ２０２Ｈ／２０２Ｆ内で所望の圧力に達すると、バルブ２３０Ｖ／２４
０Ｖを閉じて、流体充填ブラダ２０２Ｈ／２０２Ｆからのさらなるガス流出を防止するこ
とができる。
【００４１】
図３は、流体充填ブラダ２０２Ｈおよび／または２０２Ｆ内の流体圧力を制御するため
に、本発明の少なくともいくつかの例においてソレノイドバルブ２３０および／または２
４０の動作を（例えば、コントローラ２５０を使用して）制御できる方式の一例を表すフ
ローチャートである。図３に示すとおり、本例においては、プロセス３００が、例えば、
足支持システム２００の電源が投入されたとき、足支持システム２００が「スリープ」モ
ードから復帰したとき、足が靴の足受容チャンバ内で検出されたとき、などに開始する（
Ｓ３００）。このプロセスの第１のステップＳ３０２として、コントローラ２５０または
入力２７０は、制御されている流体充填ブラダ内の所望のガス圧力に関する情報を受信し
得る。この情報は、例えば、その流体充填ブラダの以前の設定に関連するメモリ、足支持
システム２００において設定されたデフォルト圧力設定、入力システム２８２／電子通信
装置２８０を介したユーザ入力、所望の圧力（例えば、２０ｐｓｉ〜３０ｐｓｉ）の絶対
値を示すユーザ入力、流体充填ブラダ内の圧力（例えば、±０．１ｐｓｉ、±０．２ｐｓ
ｉなど）を増加または減少させたいという所望を示すユーザ入力などから得られ得る。所
望のブラダ圧力情報は、例えば、コントローラ２５０と共に提供されたり、コントローラ
２５０と通信したりしてメモリに記憶され得る。
【００４２】
次に、この例示的なシステムおよび方法のコントローラ２５０は、（例えば、ステップ
Ｓ３０４で圧力センサ２６０Ｈまたは２６０Ｆを介して）流体充填ブラダから圧力読取値
を取得する。本発明の少なくともいくつかの態様に係るシステムおよび方法は、ステップ
Ｓ３０４での圧力読取値と、Ｓ３０２で得られた所望のブラダ圧力情報と、に基づいて、
流体充填ブラダ２０２Ｈ／２０２Ｆ内で圧力を調節する必要があるかどうかを判断するこ
とができ、図３のフローチャートは、その判断を行うための１つのプロセス例を提供する
。より具体的には、ステップＳ３０６において、この例示的なシステムおよび方法により
、実際に計測されたブラダ圧力を、メモリに記憶された所望のブラダ圧力と比較し、ブラ
ダ圧力を所望のレベル（または所望の圧力レベルから所定の範囲内）にするのに流体充填
ブラダ２０２Ｈ／２０２Ｆにおいて増圧が必要かどうかを判断する。「はい」の場合には
、ステップＳ３０８において、コントローラ２５０がソレノイドバルブ２３０または２４
０を「膨張」構成（例えば、図２Ｄに示す構成）に設定し、流体充填ブラダ２０２Ｈ／２
０２Ｆの膨張を開始する（ステップＳ３１０）。所望の膨張期間の後、この例示的なシス
テムおよび方法は、（プロセスライン３１２を介して）ステップＳ３０４に戻り、そこで
流体充填ブラダ２０２Ｈ／２０２Ｆ内の圧力が再び計測され、プロセスが繰り返される。
【００４３】
ステップＳ３０６において、所望の圧力レベルに達するのに流体充填ブラダ２０２Ｈ／
２０２Ｆにおいて増圧が必要でないと判断された場合（「いいえ」と答えた場合）、この
例示的なシステムおよび方法は、ステップＳ３１４において、ブラダ圧力を所望のレベル
（または所望の圧力レベルから所定の範囲内）にするのに流体充填ブラダ２０２Ｈ／２０
２Ｆにおいて減圧が必要であるかどうかを判断する。「はい」の場合には、ステップＳ３
１６において、コントローラ２５０がソレノイドバルブ２３０または２４０を「収縮」構
成（例えば、図２Ｆに示す構成）に設定し、流体充填ブラダ２０２Ｈ／２０２Ｆの収縮を
開始する（ステップＳ３１８）。所望の収縮期間の後、この例示的なシステムおよび方法
は、（プロセスライン３２０を介して）ステップＳ３０４に戻り、そこで流体充填ブラダ
２０２Ｈ／２０２Ｆ内の圧力が再び測定され、プロセスが繰り返される。
【００４４】
ステップＳ３１４において、流体充填ブラダ２０２Ｈ／２０２Ｆ内で所望の圧力レベル
に達するのに減圧が必要でないと判断された場合（「いいえ」と答えた場合）、この例示
的なシステムおよび方法は、流体充填ブラダ２０２Ｈ／２０２Ｆが所望の圧力レベル（例
えば、ステップＳ３０２で受信した所定の圧力レベルの範囲内）にあるとみなす。この場
合には、制御中のソレノイドバルブ２３０または２４０が、ステップＳ３２２において、
その「圧力維持」構成（例えば、図２Ｅに示す構成）に設定され得る。追加または代替と
して、所望であれば、双方向バルブ２３０Ｖ／２４０Ｖを閉じることにより、流体充填ブ
ラダ２０２Ｈ／２０２Ｆ内の圧力を（例えば、一定または実質的に一定に）維持すること
ができる。ステップＳ３２４に示すとおり、本発明のこのような例に係るシステムおよび
方法は、所定期間待機し、その後、足支持システム２００の使用が継続しているか否かを
判断し得る（ステップＳ３２６）。これは、靴が動いているかどうかを判断するための動
作検出器（例えば、加速度計またはジャイロスコープタイプの検出器）、熱センサ（例え
ば、靴内における足の存在を確認する赤外線検出器）、（例えば、流体充填ブラダ２０２
Ｈ／２０２Ｆに対する外力を判断するための）足力検出器のうちの１つ以上からの入力な
どによって、または他の任意の所望の方式で達成され得る。継続使用が検出された場合（
ステップＳ３２６で「はい」と答えた場合）には、この例示的なシステムおよび方法が、
（プロセスライン３２８を介して）ステップＳ３０４戻り得る。そこで、流体充填ブラダ
２０２Ｈ／２０２Ｆ内の圧力が再び計測され、プロセスが繰り返される。ステップＳ３２
６で継続使用が検出されない場合には、この例示的なシステムおよび方法が、ステップＳ
３３０でバッテリ電力を保存するために、システムをシャットダウンし得る（例えば、電
源をオフにする、「スリープ」モードに入る、ステップＳ３０４に戻るまでの期間を長く
する）。このプロセスは、最終的には、例えば、少なくとも新たな使用が（例えば、動作
検出器、熱センサ、足力検出器などからの信号；電子通信装置２８０からの入力；入力装
置２７０を介する入力；「オン」もしくは「ウェイクアップ」ボタンを押すことによって
、および／または他の所望の方式で）検出されるまで停止し得る（Ｓ３３２）。
【００４５】
図３は、１つ以上の流体充填ブラダ（例えば、２０２Ｈおよび／または２０２Ｆ）内の
圧力を測定、調節、および／または維持する目的で使用され得るステップの一例を示すが
、当業者が本開示の便益を考慮すれば、本発明から逸脱しない限り、１つ以上の流体充填
ブラダ（例えば、２０２Ｈおよび／または２０２Ｆ）内の圧力を測定、調節、および／ま
たは維持するのに、他の方法、ステップ、ステップ順序などが使用され得ることを認識す
るであろう。追加または代替として、本発明から逸脱しない限り、他のタイプの電子制御
バルブ、圧力計測装置などが使用され得る。
【００４６】
図４Ａ〜図４Ｃは、構造および／または機能がソレノイドバルブ２２０と同様であるが
、（ａ）例えば、ソレノイドバルブ２３０を介して、踵ベース流体充填ブラダ２０２Ｈ（
図４Ａ）のみを膨張させる構成、（ｂ）例えば、ソレノイドバルブ２４０を介して、前足
部ベース流体充填ブラダ２０２Ｆ（図４Ｂ）のみを膨張させる構成、ならびに（ｃ）例え
ば、ソレノイドバルブ２３０および２４０を介して、踵ベース流体充填ブラダ２０２Ｈお
よび前足部ベース流体充填ブラダ２０２Ｆの両方を同時に膨張させる構成（図４Ｃ）、と
いう３つの異なる構成の間で互換性があるソレノイドバルブ４２０の別の構造例を表す。
図４Ａ〜図４Ｃにおける同様の参照番号は、上述の他の例および実施形態の参照番号と同
様の部品を表す。例示的な本ソレノイドバルブ４２０と、図２Ｂ〜図２Ｃに示すソレノイ
ドバルブ２２０と、の間の１つの違いは、プランジャ４２２Ｐを通るガス転送経路４２０
Ｐに関するものである。図４Ａ〜図４Ｃのプランジャ４２２Ｐは、図２Ｂおよび図２Ｃに
示すガス転送経路２２０Ｐからの単一排出ポート２２０ＰＯではなく、ガス転送経路４２
０Ｐからの３つの排出ポート４２０Ｐ１、４２０Ｐ２、および４２０Ｐ３を含む。ガス転
送経路４２０Ｐ内に示されているガス取入ポート２２０ＰＩは１つだが、本発明から逸脱
しない限り、２つ以上のガス取入ポートおよび／または２つ以上の別個のガス転送経路を
設けることができる。
【００４７】
図４Ａに示す構成においては、排出ポート４２０Ｐ２が、ガスをソレノイドバルブ２３
０に供給するために排出ポート２２０Ｈおよび流体ライン２２２Ｈと整列しており、排出
ポート４２０Ｐ１および４２０Ｐ３が、（例えば、封止構造、ソレノイドバルブ４２０の
内側壁（複数可）２２０Ｓとプランジャ４２２Ｐの外側壁（複数可）２２２Ｓとの間の密
着、または他の構造によって）封止されている。このようにして、踵ベース流体充填ブラ
ダ２０２Ｈを潜在的に膨張させるためのソレノイドバルブ２３０にのみガスが供給される
。
【００４８】
図４Ｂに示す構成においては、プランジャ４２２Ｐが、図４Ａにおけるその向きと比較
して左側に移動し、排出ポート４２０Ｐ３が、ガスをソレノイドバルブ２４０に供給する
ためにガス排出ポート２２０Ｆおよび流体ライン２２２Ｆと整列しており、排出ポート４
２０Ｐ１および４２０Ｐ２が、（例えば、封止構造、ソレノイドバルブ４２０の内側壁（
複数可）２２０Ｓとプランジャ４２２Ｐの外側壁（複数可）２２２Ｓとの間の密着、また
は他の構造によって）封止されている。このようにして、前足部ベース流体充填ブラダ２
０２Ｆを潜在的に膨張させるためのソレノイドバルブ２４０にのみガスが供給される。
【００４９】
図４Ｃに示す構成においては、プランジャ４２２Ｐが、図４Ｂにおけるその向きと比較
して左側に移動し、排出ポート４２０Ｐ１が、ガスをソレノイドバルブ２３０に供給する
ためにガス排出ポート２２０Ｈおよび流体ライン２２２Ｈと整列しており、排出ポート４
２０Ｐ２が、ガスをソレノイドバルブ２４０に供給するためにガス排出ポート２２０Ｆお
よび流体ライン２２２Ｆと整列しており、排出ポート４２０Ｐ３が、（例えば、封止構造
、ソレノイドバルブ４２０の内側壁（複数可）２２０Ｓとプランジャ４２２Ｐの外側壁（
複数可）２２２Ｓとの間の密着によって）封止されている。このようにして、踵ベース流
体充填ブラダ２０２Ｈを潜在的に膨張させるためのソレノイドバルブ２３０と、前足部ベ
ース流体充填ブラダ２０２Ｆを潜在的に膨張させるためのソレノイドバルブ２４０とに、
ガスが同時に供給される。コントローラ２５０、モータ２２２Ｍ、および／または付勢シ
ステム２２４Ｓは、図４Ａ〜図４Ｃに示す位置の間でプランジャ４２２Ｐを移動させる目
的で制御／使用され得る。
【００５０】
本発明から逸脱しない限り、他のソレノイドバルブ構造、ガス経路、流体ライン、およ
び／または構成要素は、コンプレッサ２１０から流体充填ブラダ２０２Ｈおよび／または
２０２Ｆに個別または同時に選択的にガスを供給する目的で使用され得る。より具体的な
いくつかの例として、上述のようなソレノイドバルブではなく、他のタイプのプログラム
可能かつ／もしくは電子制御可能なバルブまたは他のプログラム可能な流体流制御装置を
含む、他のタイプのバルブまたは他のタイプの「流体流制御装置」が、任意の１つ以上の
ソレノイドバルブの代替となり得る。
ＩＩＩ．      結論
【００５１】
本発明は、種々の実施形態に言及しながら、上記および添付の図面に開示されている。
しかし、本開示が果たす目的は、本発明に関連する種々の特徴および概念の一例を提供す
ることであり、本発明の範囲を限定することではない。当業者であれば、添付の特許請求
の範囲によって定義されるとおり、本発明の範囲から逸脱しない限り、上述の実施形態に
対して多数の変形および変更が可能であることを認識するであろう。
【００５２】
疑義を避けるために、本出願は、以下の番号付き段落（「段落」と称される）に記載さ
れた主題を含む。
【００５３】
段落１．ガス吸入ポートとガス排出ポートとを含むコンプレッサと、
コンプレッサのガス排出ポートと流体連通するガス吸入ポートと、ガス排出ポートと、
を含む第１のソレノイドバルブであって、少なくとも膨張構成と収縮構成との間で第１の
ソレノイドバルブを変更するために移動する第１の可動プランジャを含む第１のソレノイ
ドバルブと、
ユーザの足の底面の少なくとも一部分を支持するように構成された第１の流体充填ブラ
ダであって、ガスポートを含む第１の流体充填ブラダと、
第１のソレノイドバルブのガス排出ポートと第１の流体充填ブラダのガスポートとを接
続する第１の流体ラインと、
を備える履物品用の足支持システム。
【００５４】
段落２．コンプレッサおよび第１のソレノイドバルブの動作を制御するためのコントロ
ーラと、
第１の流体充填ブラダ内の圧力を測定し、感知された圧力情報をコントローラに提供す
るための圧力センサと、
をさらに備える、段落１に記載の足支持システム。
【００５５】
段落３．コントローラと電子通信して入力データを受信するための入力装置であって、
（ａ）第１の流体充填ブラダの所望の圧力レベルと、（ｂ）第１の流体充填ブラダ内の圧
力を変更する所望と、のうちの少なくとも１つを含むユーザ入力を受信するように構成さ
れている入力装置
をさらに備える、段落２に記載の足支持システム。
【００５６】
段落４．コンプレッサおよび第１のソレノイドバルブの動作を制御するためのコントロ
ーラと、
コントローラと電子通信して入力データを受信するための入力装置であって、（ａ）第
１の流体充填ブラダの所望の圧力レベル、または（ｂ）第１の流体充填ブラダ内の圧力を
変更する所望、のうちの少なくとも１つを含むユーザ入力を受信するように構成されてい
る入力装置と、
をさらに備える、段落１に記載の足支持システム。
【００５７】
段落５．入力データをコントローラに提供するための入力装置と電子通信する電子通信
装置
をさらに備える、段落３または４に記載の足支持システム。
【００５８】
段落６．電子通信装置は、パーソナルコンピュータ、ラップトップコンピュータ、デス
クトップコンピュータ、タブレットコンピュータ、または携帯電話機からなる群から選択
される少なくとも１つの部材を含む、段落５に記載の足支持システム。
【００５９】
段落７．入力装置は、無線電子通信を受信するように構成されている、段落３〜６のい
ずれか１つに記載の足支持システム。
【００６０】
段落８．第１の可動プランジャは、第１のソレノイドバルブを、第１の流体充填ブラダ
内のガス圧力が実質的に一定に維持される圧力維持構成に変更するようにさらに移動可能
である、段落１〜７のいずれか１つに記載の足支持システム。
【００６１】
段落９．第１のソレノイドバルブは、足支持システムが所在する外部環境と流体連通す
るガス吐出ポートをさらに含む、段落１〜８のいずれか１つに記載の足支持システム。
【００６２】
段落１０．第１の流体充填ブラダは、ユーザの足の底面の第１の部分を支持するように
構成されており、足支持システムは、
コンプレッサのガス排出ポートと流体連通するガス吸入ポートと、ガス排出ポートと、
を含む第２のソレノイドバルブであって、少なくとも膨張構成と収縮構成との間で第２の
ソレノイドバルブを変更するために移動する第２の可動プランジャを含む第２のソレノイ
ドバルブと、
ユーザの足の底面の第２の部分を支持するように構成された第２の流体充填ブラダであ
って、第１の流体充填ブラダがガスポートを含む第２の流体充填ブラダと、
第２のソレノイドバルブのガス排出ポートと第２の流体充填ブラダのガスポートとを接
続する第２の流体ラインと、
をさらに含む、段落１に記載の足支持システム。
【００６３】
段落１１．第２の流体充填ブラダは、第１の流体充填ブラダと流体連通していない、段
落１０に記載の足支持システム。
【００６４】
段落１２．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落１０または１１に記載の足支持システム
。
【００６５】
段落１３．コンプレッサ、第１のソレノイドバルブ、および第２のソレノイドバルブの
動作を制御するためのコントローラと、
第１の流体充填ブラダ内の圧力を測定し、感知された第１の流体充填ブラダ内の感知さ
れた圧力情報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落１０〜１２のいずれか１つに記載の足支持システム。
【００６６】
段落１４．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置
をさらに備える、段落１３に記載の足支持システム。
【００６７】
段落１５．コンプレッサ、第１のソレノイドバルブ、および第２のソレノイドバルブの
動作を制御するためのコントローラと、
コントローラと電子通信して入力データを受信するための入力装置であって、（ａ）第
１の流体充填ブラダの所望の圧力レベルと、（ｂ）第１の流体充填ブラダ内の圧力を変更
する所望と、（ｃ）第２の流体充填ブラダの所望の圧力レベルと、（ｄ）第２の流体充填
ブラダ内の圧力を変更する所望と、のうちの少なくとも１つを含むユーザ入力を受信する
ように構成されている入力装置と、
をさらに備える、段落１０〜１２のいずれか１つに記載の足支持システム。
【００６８】
段落１６．入力データをコントローラに提供するための入力装置と電子通信する電子通
信装置
をさらに備える、段落１４または１５に記載の足支持システム。
【００６９】
段落１７．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落１６に記載の足支持システム。
【００７０】
段落１８．入力装置は、無線電子通信を受信するように構成されている、段落１４〜１７
のいずれか１つに記載の足支持システム。
【００７１】
段落１９．第１の可動プランジャは、第１のソレノイドバルブを、第１の流体充填ブラダ
内のガス圧力が実質的に一定に維持される圧力維持構成に変更するようにさらに移動可能
であり、第２の可動プランジャは、第２のソレノイドバルブを、第２の流体充填ブラダ内
のガス圧力が実質的に一定に維持される圧力維持構成に変更するようにさらに移動可能で
ある、段落１０〜１８のいずれか１つに記載の足支持システム。
【００７２】
段落２０．第１のソレノイドバルブは、足支持システムが所在する外部環境と流体連通
するガス吐出ポートをさらに含み、第２のソレノイドバルブは、足支持システムが所在す
る外部環境と流体連通するガス吐出ポートをさらに含む、段落１０〜１９のいずれか１つ
に記載の足支持システム。
【００７３】
段落２１．ガス吸入ポートとガス排出ポートとを含むコンプレッサと、
ユーザの足の底面の少なくとも第１の部分を支持するように構成された第１の流体充填
ブラダであって、第１のガスポートを含む第１の流体充填ブラダと、
ユーザの足の底面の少なくとも第２の部分を支持するように構成された第２の流体充填
ブラダであって、第２のガスポートを含む第２の流体充填ブラダと、
ガス取入ポートと、第１のガス排出ポートと、第２のガス排出ポートと、を含む第１の
ソレノイドバルブと、
コンプレッサのガス排出ポートを第１のソレノイドバルブのガス取入ポートと接続する
第１の流体ラインと、
第１のソレノイドバルブの第１のガス排出ポートに接続され、第１の流体充填ブラダの
第１のガスポートと流体連通する第２の流体ラインと、
第１のソレノイドバルブの第２のガス排出ポートに接続され、第２の流体充填ブラダの
第２のガスポートと流体連通する第３の流体ラインと、
を備える履物品用の足支持システム。
【００７４】
段落２２．第２の流体充填ブラダは、第１の流体充填ブラダと流体連通していない、段
落２１に記載の足支持システム。
【００７５】
段落２３．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落２１または２２に記載の足支持システム
。
【００７６】
段落２４．コンプレッサおよび第１のソレノイドバルブの動作を制御するためのコント
ローラと、
第１の流体充填ブラダ内の圧力を測定し、た第１の流体充填ブラダ内の感知された圧力
情報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落２１〜２３のいずれか１つに記載の足支持システム。
【００７７】
段落２５．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置
をさらに備える、段落２４に記載の足支持システム。
【００７８】
段落２６．コンプレッサおよび第１のソレノイドバルブの動作を制御するためのコント
ローラと、
コントローラと電子通信して入力データを受信するための入力装置であって、（ａ）第
１の流体充填ブラダの所望の圧力レベルと、（ｂ）第１の流体充填ブラダ内の圧力を変更
する所望と、（ｃ）第２の流体充填ブラダの所望の圧力レベルと、（ｄ）第２の流体充填
ブラダ内の圧力を変更する所望と、のうちの少なくとも１つを含むユーザ入力を受信する
ように構成されている入力装置と、
をさらに備える、段落２１〜２３のいずれか１つに記載の足支持システム。
【００７９】
段落２７．入力データをコントローラに提供するための入力装置と電子通信する電子通
信装置
をさらに備える、段落２５または２６に記載の足支持システム。
【００８０】
段落２８．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落２７に記載の足支持システム。
【００８１】
段落２９．入力装置は、無線電子通信を受信するように構成されている、段落２５〜２
７のいずれか１つに記載の足支持システム。
【００８２】
段落３０．ガス吸入ポートとガス排出ポートとを含むコンプレッサと、
ガス吸入ポートと、第１のガス排出ポートと、第２のガス排出ポートと、を含む第１の
ソレノイドバルブと、
コンプレッサのガス排出ポートを第１のソレノイドバルブのガス吸入ポートと接続する第
１の流体ラインと、
ガス吸入ポートとガス排出ポートとを含む第２のソレノイドバルブと、
第１のソレノイドバルブの第１のガス排出ポートを第２のソレノイドバルブのガス吸入ポ
ートと接続する第２の流体ラインと、
ガス吸入ポートとガス排出ポートとを含む第３のソレノイドバルブと、
第１のソレノイドバルブの第２のガス排出ポートを第３のソレノイドバルブのガス吸入
ポートと接続する第３の流体ラインと、
ユーザの足の底面の少なくとも第１の部分を支持するように構成された第１の流体充填
ブラダであって、ガスポートを含む第１の流体充填ブラダと、
第２のソレノイドバルブのガス排出ポートを第１の流体充填ブラダのガスポートと接続
する第４の流体ラインと、
ユーザの足の底面の少なくとも第２の部分を支持するように構成された第２の流体充填
ブラダであって、ガスポートを含む第２の流体充填ブラダと、
第３のソレノイドバルブのガス排出ポートを第２の流体充填ブラダのガスポートと接続
する第５の流体ラインと、
を備える履物品用の足支持システム。
【００８３】
段落３１．第２のソレノイドバルブは可動プランジャを含み、可動プランジャは移動に
より、第２のソレノイドバルブを、少なくとも、第１の流体充填ブラダにガスを供給する
ための膨張構成と、第１の流体充填ブラダからガスを放出するための収縮構成と、の間で
変更する、段落３０に記載の足支持システム。
【００８４】
段落３２．第３のソレノイドバルブは可動プランジャを含み、可動プランジャは移動に
より、第３のソレノイドバルブを、少なくとも、第２の流体充填ブラダにガスを供給する
ための膨張構成と、第２の流体充填ブラダからガスを放出するための収縮構成と、の間で
変更する、段落３０または３１に記載の足支持システム。
【００８５】
段落３３．第２の流体充填ブラダは、第１の流体充填ブラダと流体連通していない、段
落３０〜３２のいずれか１つに記載の足支持システム。
【００８６】
段落３４．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落３０〜３３のいずれか１つに記載の足支
持システム。
【００８７】
段落３５．コンプレッサ、第１のソレノイドバルブ、第２のソレノイドバルブ、および
第３のソレノイドバルブの動作を制御するためのコントローラと、
第１の流体充填ブラダ内の圧力を測定し、第１の流体充填ブラダ内の感知された圧力情
報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落３０〜３４のいずれか１つに記載の足支持システム。
【００８８】
段落３６．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置
をさらに備える、段落３５に記載の足支持システム。
【００８９】
段落３７．コンプレッサ、第１のソレノイドバルブ、第２のソレノイドバルブ、および
第３のソレノイドバルブの動作を制御するためのコントローラと、
コントローラと電子通信して入力データを受信するための入力装置であって、（ａ）第１
の流体充填ブラダの所望の圧力レベルと、（ｂ）第１の流体充填ブラダ内の圧力を変更す
る所望と、（ｃ）第２の流体充填ブラダの所望の圧力レベルと、（ｄ）第２の流体充填ブ
ラダ内の圧力を変更する所望と、のうちの少なくとも１つを含むユーザ入力を受信するよ
うに構成されている入力装置と、
をさらに備える、段落３０〜３４のいずれか１つに記載の足支持システム。
【００９０】
段落３８．入力データをコントローラに提供するための入力装置と電子通信する電子通
信装置
をさらに備える、段落３６または３７に記載の足支持システム。
【００９１】
段落３９．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落３８に記載の足支持システム。
【００９２】
段落４０．入力装置は、無線電子通信を受信するように構成されている、段落３６〜３
９のいずれか１つに記載の足支持システム。
【００９３】
段落４１．第２のソレノイドバルブは可動プランジャを含み、可動プランジャは移動に
より、第２のソレノイドバルブを、少なくとも、第１の流体充填ブラダにガスを供給する
ための膨張構成と、第１の流体充填ブラダからガスを放出するための収縮構成と、第１の
流体充填ブラダ内のガス圧力が実質的に一定に維持される圧力維持構成と、の間で変更す
る、段落３０に記載の足支持システム。
【００９４】
段落４２．第３のソレノイドバルブは可動プランジャを含み、可動プランジャは移動に
より、第３のソレノイドバルブを、少なくとも、第２の流体充填ブラダにガスを供給する
ための膨張構成と、第２の流体充填ブラダからガスを放出するための収縮構成と、第２の
流体充填ブラダ内のガス圧力が実質的に一定に維持される圧力維持構成と、の間で変更す
る、段落３０または４１に記載の足支持システム。
【００９５】
段落４３．第２のソレノイドバルブは、足支持システムが所在する外部環境と流体連通
するガス排出ポートを含む、段落３０〜４２のいずれか１つに記載の足支持システム。
【００９６】
段落４４．第３のソレノイドバルブは、足支持システムが所在する外部環境と流体連通
するガス排出ポートを含む、段落３０または４３に記載の足支持システム。
【００９７】
段落４５．ガス吸入ポートとガス排出ポートとを含むコンプレッサと、
コンプレッサのガス排出ポートと流体連通している第１の流体流制御装置であって、少
なくとも膨張構成と収縮構成との間で変更可能に構成されている第１の流体流制御装置と
、
ユーザの足の底面の少なくとも一部分を支持するように構成された第１の流体充填ブラ
ダであって、第１の流体流制御装置と流体連通しており、第１の流体流制御装置が膨張構
成のときには第１の流体流制御装置からガスを受け取り、第１の流体流制御装置が収縮構
成のときにはガスを吐出する、第１の流体充填ブラダと、
を備える履物品用の足支持システム。
【００９８】
段落４６．コンプレッサおよび第１の流体流制御装置の動作を制御するためのコントロ
ーラと、
第１の流体充填ブラダ内の圧力を測定し、感知された圧力情報をコントローラに提供す
るための圧力センサと、
をさらに備える、段落４５に記載の足支持システム。
【００９９】
段落４７．コントローラと電子通信して入力データを受信するための入力装置であって
、（ａ）第１の流体充填ブラダの所望の圧力レベルと、（ｂ）第１の流体充填ブラダ内の
圧力を変更する所望と、のうちの少なくとも１つを含むユーザ入力を受信するように構成
されている入力装置、
をさらに備える、段落４６に記載の足支持システム。
【０１００】
段落４８．コンプレッサおよび第１の流体流制御装置の動作を制御するためのコントロ
ーラと、
コントローラと電子通信して入力データを受信するための入力装置であって、（ａ）第
１の流体充填ブラダの所望の圧力レベル、または（ｂ）第１の流体充填ブラダ内の圧力を
変更する所望、のうちの少なくとも１つを含むユーザ入力を受信するように構成されてい
る入力装置と、
をさらに備える、段落４５に記載の足支持システム。
【０１０１】
段落４９．入力データをコントローラに提供するための入力装置と電子通信する電子通
信装置
をさらに備える、段落４７または４８に記載の足支持システム。
【０１０２】
段落５０．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落４９に記載の足支持システム。
【０１０３】
段落５１．入力装置は、無線電子通信を受信するように構成されている、段落４７〜５
０のいずれか１つに記載の足支持システム。
【０１０４】
段落５２．第１の流体流制御装置は、第１の流体充填ブラダ内のガス圧力が実質的に一
定に維持される圧力維持構成へと変更可能にさらに構成されている、段落４５〜５１のい
ずれか１つに記載の足支持システム。
【０１０５】
段落５３．第１の流体流制御装置は、コンプレッサのガス排出ポートと流体連通するガ
ス吸入ポートと、第１の流体充填ブラダと流体連通するガス吸入／排出ポートと、足支持
システムが所在する外部環境と流体連通するガス吐出ポートとを含む、段落４５〜５２の
いずれか１つに記載の足支持システム。
【０１０６】
段落５４．第１の流体充填ブラダは、ユーザの足の底面の第１の部分を支持するように
構成されており、足支持システムは、
コンプレッサのガス排出ポートと流体連通している第２の流体流制御装置であって、少
なくとも膨張構成と収縮構成との間で変更可能に構成されている第２の流体流制御装置と
、
ユーザの足の底面の第２の部分を支持するように構成された第２の流体充填ブラダであ
って、第２の流体流制御装置と流体連通しており、第２の流体流制御装置が膨張構成のと
きには第２の流体流制御装置からガスを受け取り、第２の流体流制御装置が収縮構成のと
きにはガスを吐出する、第２の流体充填ブラダと、
をさらに備える、段落４５に記載の足支持システム。
【０１０７】
段落５５．第２の流体充填ブラダは、第１の流体充填ブラダと流体連通していない、段
落５４に記載の足支持システム。
【０１０８】
段落５６．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落５４または５５に記載の足支持システム
。
【０１０９】
段落５７．コンプレッサ、第１の流体流制御装置、および第２の流体流制御装置の動作
を制御するためのコントローラと、
第１の流体充填ブラダ内の圧力を測定し、第１の流体充填ブラダ内の感知された圧力情
報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落５４〜５６のいずれか１つに記載の足支持システム。
【０１１０】
段落５８．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置と、
をさらに備える、段落５７に記載の足支持システム。
【０１１１】
段落５９．コンプレッサ、第１の流体流制御装置、および第２の流体流制御装置の動作
を制御するためのコントローラと、
コントローラと電子通信して入力データを受信するための入力装置であって、（ａ）第
１の流体充填ブラダの所望の圧力レベルと、（ｂ）第１の流体充填ブラダ内の圧力を変更
する所望と、（ｃ）第２の流体充填ブラダの所望の圧力レベルと、（ｄ）第２の流体充填
ブラダ内の圧力を変更する所望と、のうちの少なくとも１つを含むユーザ入力を受信する
ように構成されている入力装置と、
をさらに備える、段落５４〜５６のいずれか１つに記載の足支持システム。
【０１１２】
段落６０．入力データをコントローラに提供するための入力装置と電子通信する電子通
信装置
をさらに備える、段落５８または５９に記載の足支持システム。
【０１１３】
段落６１．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落６０に記載の足支持システム。
【０１１４】
段落６２．入力装置は、無線電子通信を受信するように構成されている、段落５８〜６
１のいずれか１つに記載の足支持システム。
【０１１５】
段落６３．第１の流体流制御装置は、第１の流体充填ブラダ内のガス圧力が実質的に一
定に維持される圧力維持構成へと変更可能にさらに構成されており、第２の流体流制御装
置は、第２の流体充填ブラダ内のガス圧力が実質的に一定に維持される圧力維持構成へと
変更可能にさらに構成されている、段落５４〜６２のいずれか１つに記載の足支持システ
ム。
【０１１６】
段落６４．第１の流体流制御装置は、コンプレッサのガス排出ポートと流体連通するガ
ス吸入ポートと、第１の流体充填ブラダと流体連通するガス吸入／排出ポートと、足支持
システムが所在する外部環境と流体連通するガス吐出ポートと、を含み、第２の流体流制
御装置は、コンプレッサのガス排出ポートと流体連通するガス吸入ポートと、第２の流体
充填ブラダと流体連通するガス吸入／排出ポートと、足支持システムが所在する外部環境
と流体連通するガス吐出ポートと、を含む、段落５４〜６３のいずれか１つに記載の足支
持システム。
【０１１７】
段落６５．ガス吸入ポートとガス排出ポートとを含むコンプレッサと、
ユーザの足の底面の少なくとも第１の部分を支持するように構成された第１の流体充填
ブラダと、
ユーザの足の底面の少なくとも第２の部分を支持するように構成された第２の流体充填
ブラダと、
コンプレッサのガス排出ポート、第１の流体充填ブラダ、および第２の流体充填ブラダ
と流体連通しており、少なくとも、（ａ）コンプレッサから吐出されたガスが第１の流体
充填ブラダに移送される第１の構成と、（ｂ）コンプレッサから吐出されたガスが第２の
流体充填ブラダに移送される第２の構成と、の間で変更可能に構成されている第１の流体
流制御装置と、
を備える履物品用の足支持システム。
【０１１８】
段落６６．第１の流体流制御装置は、コンプレッサから吐出されたガスが第１の流体充
填ブラダおよび第２の流体充填ブラダに同時に移送される第３の構成へと変更可能にさら
に構成されている、段落６５に記載の足支持システム。
【０１１９】
段落６７．第２の流体充填ブラダは、第１の流体充填ブラダと流体連通していない、段
落６５または６６に記載の足支持システム。
【０１２０】
段落６８．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落６５〜６７のいずれか１つに記載の足支
持システム。
【０１２１】
段落６９．コンプレッサおよび第１の流体流制御装置の動作を制御するためのコントロ
ーラと、
第１の流体充填ブラダ内の圧力を測定し、第１の流体充填ブラダ内の感知された圧力情
報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落６５〜６８のいずれか１つに記載の足支持システム。
【０１２２】
段落７０．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置と、
をさらに備える、段落６９に記載の足支持システム。
【０１２３】
段落７１．コンプレッサおよび第１の流体流制御装置の動作を制御するためのコントロ
ーラと、
コントローラと電子通信して入力データを受信するための入力装置であって、（ａ）第
１の流体充填ブラダの所望の圧力レベルと、（ｂ）第１の流体充填ブラダ内の圧力を変更
する所望と、（ｃ）第２の流体充填ブラダの所望の圧力レベルと、（ｄ）第２の流体充填
ブラダ内の圧力を変更する所望と、のうちの少なくとも１つを含むユーザ入力を受信する
ように構成されている入力装置と、
をさらに備える、段落６５〜６８のいずれか１つに記載の足支持システム。
【０１２４】
段落７２．入力データをコントローラに提供するための入力装置と電子通信する電子通
信装置
をさらに備える、段落７０または７１に記載の足支持システム。
【０１２５】
段落７３．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落７２に記載の足支持システム。
【０１２６】
段落７４．入力装置は、無線電子通信を受信するように構成されている、段落７０〜７
２のいずれか１つに記載の足支持システム。
【０１２７】
段落７５．第１の流体流制御装置は、コンプレッサのガス排出ポートと流体連通するガ
ス吸入ポートと、第１の流体充填ブラダと流体連通する第１のガス排出ポートと、第２の
流体充填ブラダと流体連通する第２のガス排出ポートと、を含む、段落６５〜７４のいず
れか１つに記載の足支持システム。
【０１２８】
段落７６．ガス吸入ポートとガス排出ポートとを含むコンプレッサと、
ユーザの足の底面の少なくとも第１の部分を支持するように構成された第１の流体充填
ブラダと、
ユーザの足の底面の少なくとも第２の部分を支持するように構成された第２の流体充填
ブラダと、
コンプレッサのガス排出ポートと流体連通する第１の流体流制御装置と、
第１の流体流制御装置および第１の流体充填ブラダと流体連通する第２の流体流制御装
置と、
第１の流体流制御装置および第２の流体充填ブラダと流体連通する第３の流体流制御装
置と、
を備える履物品用の足支持システムであって、
第１の流体流制御装置は、少なくとも、（ａ）コンプレッサから吐出されたガスが第２
の流体流制御装置に移送される第１の構成と、（ｂ）コンプレッサから吐出されたガスが
第３の流体流制御装置に移送される第２の構成と、の間で変更可能に構成されている、
履物品用の足支持システム。
【０１２９】
段落７７．第１の流体流制御装置は、コンプレッサから吐出されたガスが第２の流体流
制御装置および第３の流体流制御装置に同時に移送される第３の構成へと変更可能にさら
に構成されている、段落７６に記載の足支持システム。
【０１３０】
段落７８．第２の流体流制御装置は、少なくとも、第１の流体充填ブラダにガスを供給
するための膨張構成と、第１の流体充填ブラダからガスを放出するための収縮構成と、の
間で変更可能に構成されている、段落７６または７７に記載の足支持システム。
【０１３１】
段落７９．第３の流体流制御装置は、少なくとも、第２の流体充填ブラダにガスを供給
するための膨張構成と、第２の流体充填ブラダからガスを放出するための収縮構成と、の
間で変更可能に構成されている、段落７６〜７８のいずれか１つに記載の足支持システム
。
【０１３２】
段落８０．第２の流体充填ブラダは、第１の流体充填ブラダと流体連通していない、段
落７６〜７９のいずれか１つに記載の足支持システム。
【０１３３】
段落８１．第１の流体充填ブラダは、ユーザの足の踵領域の少なくとも一部分を支持す
るように構成されており、第２の流体充填ブラダは、ユーザの足の前足部領域の少なくと
も一部分を支持するように構成されている、段落７６〜８０のいずれか１つに記載の足支
持システム。
【０１３４】
段落８２．コンプレッサ、第１の流体流制御装置、第２の流体流制御装置、および第３
の流体流制御装置の動作を制御するためのコントローラと、
第１の流体充填ブラダ内の圧力を測定し、第１の流体充填ブラダ内の感知された圧力情
報をコントローラに提供するための第１の圧力センサと、
第２の流体充填ブラダ内の圧力を測定し、第２の流体充填ブラダ内の感知された圧力情
報をコントローラに提供するための第２の圧力センサと、
をさらに備える、段落７８〜８１のいずれか１つに記載の足支持システム。
【０１３５】
段落８３．コントローラと電子通信して入力データを受信するための入力装置であって
、（ａ）第１の流体充填ブラダの所望の圧力レベルと、（ｂ）第１の流体充填ブラダ内の
圧力を変更する所望と、（ｃ）第２の流体充填ブラダの所望の圧力レベルと、（ｄ）第２
の流体充填ブラダ内の圧力を変更する所望と、のうちの少なくとも１つを含むユーザ入力
を受信するように構成されている入力装置と、
をさらに備える、段落８２に記載の足支持システム。
【０１３６】
段落８４．コンプレッサ、第１の流体流制御装置、第２の流体流制御装置、および第３
の流体流制御装置の動作を制御するためのコントローラと、
コントローラと電子通信して入力データを受信するための入力装置であって、（ａ）第
１の流体充填ブラダの所望の圧力レベルと、（ｂ）第１の流体充填ブラダ内の圧力を変更
する所望と、（ｃ）第２の流体充填ブラダの所望の圧力レベルと、（ｄ）第２の流体充填
ブラダ内の圧力を変更する所望と、のうちの少なくとも１つを含むユーザ入力を受信する
ように構成されている入力装置と、
をさらに備える、段落７８〜８１のいずれか１つに記載の足支持システム。
【０１３７】
段落８５．入力データをコントローラに提供するための入力装置と電子通信する電子通
信装置
をさらに備える、段落８３または８４に記載の足支持システム。
【０１３８】
段落８６．電子通信装置は、パーソナルコンピュータ、ラップトップコンピュータ、デ
スクトップコンピュータ、タブレットコンピュータ、または携帯電話機からなる群から選
択される少なくとも１つの部材を含む、段落８５に記載の足支持システム。
【０１３９】
段落８７．入力装置は、無線電子通信を受信するように構成されている、段落８３〜８
６のいずれか１つに記載の足支持システム。
【０１４０】
段落８８．第２の流体流制御装置は、少なくとも、第１の流体充填ブラダにガスを供給
するための膨張構成と、第１の流体充填ブラダからガスを放出するための収縮構成と、第
１の流体充填ブラダ内のガス圧力が実質的に一定に維持される圧力維持構成と、の間で変
更可能に構成されている、段落７６に記載の足支持システム。
【０１４１】
段落８９．第３の流体流制御装置は、少なくとも、第２の流体充填ブラダにガスを供給
するための膨張構成と、第２の流体充填ブラダからガスを放出するための収縮構成と、第
２の流体充填ブラダ内のガス圧力が実質的に一定に維持される圧力維持構成と、の間で変
更可能に構成されている、段落７６または８８に記載の足支持システム。
【０１４２】
段落９０．コンプレッサのガス吸入ポートは、足支持システムが所在する外部環境と流
体連通している、段落１〜８９のいずれか１つに記載の足支持システム。
【０１４３】
段落９１．アッパーと、
アッパーと係合するソール構造体と、
アッパーおよび／またはソール構造体と係合する、段落１〜９０のいずれか１つに記載
の足支持システムと、
を備える履物品。
【０１４４】
段落９２．第１の流体充填ブラダは、ソール構造体と係合する、段落９１に記載の履物
品。
【０１４５】
段落９３．足支持システムのすべての流体充填ブラダは、ソール構造体と係合する、段
落９１に記載の履物品。
【０１４６】
段落９４．コンプレッサは、アッパーと係合する、段落９１または９２に記載の履物品
。
【０１４７】
段落９５．第１のソレノイドバルブまたは第１の流体流制御装置は、アッパーと係合す
る、段落９１〜９４のいずれか１つに記載の履物品。
【０１４８】
段落９６．足支持システムのすべてのソレノイドバルブまたは流体流制御装置は、アッ
パーと係合する、段落９１〜９４のいずれか１つに記載の履物品。
【図１Ａ】
2020163152.tif 000003
【図１Ｂ】
2020163152.tif 000004
【図１Ｃ】
2020163152.tif 000005
【図２Ａ】
2020163152.tif 000006
【図２Ｂ】
2020163152.tif 000007
【図２Ｃ】
2020163152.tif 000008
【図２Ｄ】
2020163152.tif 000009
【図２Ｅ】
2020163152.tif 000010
【図２Ｆ】
2020163152.tif 000011
【図３】
2020163152.tif 000012
【図４Ａ】
2020163152.tif 000013
【図４Ｂ】
2020163152.tif 000014
【図４Ｃ】
2020163152.tif 000015
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
ガス吸入ポートとガス排出ポートとを含むコンプレッサと、
前記コンプレッサの前記ガス排出ポートと流体連通するガス吸入ポートと、ガス排出ポートと、を含む第１のソレノイドバルブであって、少なくとも膨張構成および収縮構成の間で前記第１のソレノイドバルブを変更するために移動する第１の可動プランジャを含む第１のソレノイドバルブと、
ユーザの足の底面の少なくとも一部分を支持するように構成される第１の流体充填ブラダであって、ガスポートを含む第１の流体充填ブラダと、
第１のソレノイドバルブの前記ガス排出ポートと前記第１の流体充填ブラダの前記ガスポートとを接続する第１の流体ラインと、
を備える履物品用の足支持システム。
【請求項２】
前記コンプレッサおよび前記第１のソレノイドバルブの動作を制御するためのコントローラと、
前記第１の流体充填ブラダ内の圧力を測定し、感知される圧力情報を前記コントローラに提供するための圧力センサと、
をさらに備える、請求項１に記載の足支持システム。
【請求項３】
前記コントローラと電子通信して入力データを受信するための入力装置であって、（ａ）前記第１の流体充填ブラダの所望の圧力レベルと、（ｂ）第１の流体充填ブラダ内の圧力を変更する所望と、のうちの少なくとも１つを含むユーザ入力を受信するように構成されている入力装置
をさらに備える、請求項２に記載の足支持システム。
【請求項４】
前記コンプレッサおよび前記第１のソレノイドバルブの動作を制御するためのコントローラと、
前記コントローラと電子通信して入力データを受信するための入力装置であって、（ａ）前記第１の流体充填ブラダの所望の圧力レベル、または（ｂ）前記第１の流体充填ブラダ内の圧力を変更する所望、のうちの少なくとも１つを含むユーザ入力を受信するように構成されている入力装置と、
をさらに備える、請求項１に記載の足支持システム。
【請求項５】
前記第１の可動プランジャは、前記第１のソレノイドバルブを、前記第１の流体充填ブラダ内のガス圧力が実質的に一定に維持される圧力維持構成に変更するようにさらに移動可能である、請求項１〜４のいずれか一項に記載の足支持システム。
【請求項６】
前記第１のソレノイドバルブは、前記足支持システムが所在する外部環境と流体連通するガス吐出ポートをさらに含む、請求項１〜５のいずれか一項に記載の足支持システム。
【請求項７】
前記第１の流体充填ブラダは、ユーザの足の底面の第１の部分を支持するように構成されており、前記足支持システムは、
前記コンプレッサの前記ガス排出ポートと流体連通するガス吸入ポートと、ガス排出ポートと、を含む第２のソレノイドバルブであって、少なくとも膨張構成と収縮構成との間で前記第２のソレノイドバルブを変更するために移動する第２の可動プランジャを含む第２のソレノイドバルブと、
ユーザの足の底面の第２の部分を支持するように構成され、ガスポートを含む第２の流体充填ブラダと、
第２のソレノイドバルブの前記ガス排出ポートと前記第２の流体充填ブラダの前記ガスポートとを接続する第２の流体ラインと、
をさらに含む、請求項１に記載の足支持システム。
【請求項８】
前記コンプレッサ、前記第１のソレノイドバルブ、および前記第２のソレノイドバルブの動作を制御するためのコントローラと、
前記第１の流体充填ブラダ内の圧力を測定し、前記第１の流体充填ブラダ内の感知される圧力情報を前記コントローラに提供するための第１の圧力センサと、
前記第２の流体充填ブラダ内の圧力を測定し、前記第２の流体充填ブラダ内の感知される圧力情報を前記コントローラに提供するための第２の圧力センサと、
をさらに備える、請求項７に記載の足支持システム。
【請求項９】
前記コンプレッサ、前記第１のソレノイドバルブ、および前記第２のソレノイドバルブの動作を制御するためのコントローラと、
前記コントローラと電子通信して入力データを受信するための入力装置であって、（ａ）前記第１の流体充填ブラダの所望の圧力レベルと、（ｂ）前記第１の流体充填ブラダ内の圧力を変更する所望と、（ｃ）前記第２の流体充填ブラダの所望の圧力レベルと、（ｄ）前記第２の流体充填ブラダ内の圧力を変更する所望と、のうちの少なくとも１つを含むユーザ入力を受信するように構成されている入力装置と、
をさらに備える、請求項７に記載の足支持システム。
【請求項１０】
前記第１の可動プランジャは、前記第１のソレノイドバルブを、前記第１の流体充填ブラダ内のガス圧力が実質的に一定に維持される圧力維持構成に変更するようにさらに移動可能であり、前記第２の可動プランジャは、前記第２のソレノイドバルブを、前記第２の流体充填ブラダ内のガス圧力が実質的に一定に維持される圧力維持構成に変更するようにさらに移動可能である、請求項７〜９のいずれか一項に記載の足支持システム。
【請求項１１】
前記第１のソレノイドバルブは、前記足支持システムが所在する外部環境と流体連通するガス吐出ポートをさらに含み、前記第２のソレノイドバルブは、前記足支持システムが所在する外部環境と流体連通するガス吐出ポートをさらに含む、請求項７〜１０のいずれか一項に記載の足支持システム。
【請求項１２】
ガス吸入ポートとガス排出ポートとを含むコンプレッサと、
ユーザの足の底面の少なくとも第１の部分を支持するように構成される第１の流体充填ブラダであって、第１のガスポートを含む第１の流体充填ブラダと、
ユーザの足の底面の少なくとも第２の部分を支持するように構成される第２の流体充填ブラダであって、第２のガスポートを含む第２の流体充填ブラダと、
ガス取入ポートと、第１のガス排出ポートと、第２のガス排出ポートと、を含む第１のソレノイドバルブと、
前記コンプレッサの前記ガス排出ポートを前記第１のソレノイドバルブの前記ガス取入ポートと接続する第１の流体ラインと、
前記第１のソレノイドバルブの前記第１のガス排出ポートに接続され、前記第１の流体充填ブラダの前記第１のガスポートと流体連通する第２の流体ラインと、
前記第１のソレノイドバルブの前記第２のガス排出ポートに接続され、前記第２の流体充填ブラダの前記第２のガスポートと流体連通する第３の流体ラインと、
を備える履物品用の足支持システム。
【請求項１３】
前記第２の流体充填ブラダは、前記第１の流体充填ブラダと流体連通していない、請求項７または１２に記載の足支持システム。
【請求項１４】
前記第１の流体充填ブラダは、ユーザの足の踵領域の少なくとも一部分を支持するように構成されており、前記第２の流体充填ブラダは、ユーザの足の前足部領域の少なくとも一部分を支持するように構成されている、請求項７、１２または１３のいずれか一項に記載の足支持システム。
【請求項１５】
前記コンプレッサおよび前記第１のソレノイドバルブの動作を制御するためのコントローラと、
前記第１の流体充填ブラダ内の圧力を測定し、前記第１の流体充填ブラダ内の感知される圧力情報を前記コントローラに提供するための第１の圧力センサと、
前記第２の流体充填ブラダ内の圧力を測定し、前記第２の流体充填ブラダ内の感知される圧力情報を前記コントローラに提供するための第２の圧力センサと、
をさらに備える、請求項１２〜１４のいずれか一項に記載の足支持システム。
【請求項１６】
前記コントローラと電子通信して入力データを受信するための入力装置であって、（ａ）前記第１の流体充填ブラダの所望の圧力レベルと、（ｂ）前記第１の流体充填ブラダ内の圧力を変更する所望と、（ｃ）前記第２の流体充填ブラダの所望の圧力レベルと、（ｄ）前記第２の流体充填ブラダ内の圧力を変更する所望と、のうちの少なくとも１つを含むユーザ入力を受信するように構成されている入力装置
をさらに備える、請求項８または１５に記載の足支持システム。
【請求項１７】
前記コンプレッサおよび前記第１のソレノイドバルブの動作を制御するためのコントローラと、
前記コントローラと電子通信して入力データを受信するための入力装置であって、（ａ）前記第１の流体充填ブラダの所望の圧力レベルと、（ｂ）前記第１の流体充填ブラダ内の圧力を変更する所望と、（ｃ）前記第２の流体充填ブラダの所望の圧力レベルと、（ｄ）前記第２の流体充填ブラダ内の圧力を変更する所望と、のうちの少なくとも１つを含むユーザ入力を受信するように構成されている入力装置と、
をさらに備える、請求項１２〜１４のいずれか一項に記載の足支持システム。
【請求項１８】
前記入力データを前記コントローラに提供するための前記入力装置と電子通信する電子通信装置をさらに備える、請求項３、４、９、１６または１７のいずれか一項に記載の足支持システム。
【請求項１９】
前記電子通信装置は、パーソナルコンピュータ、ラップトップコンピュータ、デスクトップコンピュータ、タブレットコンピュータまたは携帯電話機からなる群から選択される少なくとも１つの部材を含む、請求項１８に記載の足支持システム。
【請求項２０】
前記入力装置は、無線電子通信を受信するように構成されている、請求項３、４、９または１６〜１８のいずれか一項に記載の足支持システム。
【請求項２１】
アッパーと、
前記アッパーと係合するソール構造体と、
前記アッパーおよび／または前記ソール構造体と係合する、請求項１〜２０のいずれか一項に記載の足支持システムと、
を備える履物品。
【外国語明細書】
2020163152000001.pdf